(57)【要約】【課題】光源の反射光による影響を抑制し、対象を適切に撮像させることができる照明装置を提供する。【解決手段】対象を撮像するための撮像部に適用される照明装置４である。照明装置４は、光を透過可能な部材で構成され、撮像部に対象を撮像させるために、対象からの光を撮像部に導くように設けられた対物カバー１３２と、対物カバー１３２よりも撮像部側に設けられ、対物カバー１３２を介して対象を照明するための光源１４１，１４２，１４３と、を備える。光源１４１，１４２，１４３は、対物カバー１３２に接触する対象に撮像レンズ４１ａ、４１ｂの焦点を合わせた状態における対象側から撮像レンズ４１ａ，４１ｂを介して撮像素子４４に入射する光束のうち、対物カバー１３２よりも対象側の光束に含まれる所定の光線で規定される領域を、対物カバー１３２において撮像部側に略反転させた領域である反転領域よりも外側の領域に設けられている。【選択図】図１０
2020166221.tif 000002
【特許請求の範囲】
【請求項１】
対象を撮像するための撮像部に適用される照明装置であって、
光を透過可能な部材で構成され、前記撮像部に前記対象を撮像させるために、前記対象からの光を前記撮像部に導くように設けられた対物カバーと、
前記対物カバーよりも前記撮像部側に設けられ、前記対物カバーを介して前記対象を照明するための光源と、を備え、
前記撮像部は、前記対象を撮像する撮像素子と、前記対象の画像を前記撮像素子に結像させる撮像レンズとを含み、
前記光源は、前記対物カバーに接触する前記対象に前記撮像レンズの焦点を合わせた状態における前記対象側から前記撮像レンズを介して前記撮像素子に入射する光束のうち、前記対物カバーよりも前記対象側の光束に含まれる所定の光線で規定される領域を、前記対物カバーにおいて前記撮像部側に略反転させた領域である反転領域よりも外側に設けられていることを特徴とする照明装置。
【請求項２】
前記所定の光線は、前記光束に含まれる複数の上光線のうちの最も外側の上光線と、前記光束に含まれる複数の下光線のうちの最も外側の下光線であることを特徴とする、請求項１に記載の照明装置。
【請求項３】
前記所定の光線は、前記光束に含まれる複数の光線のうちの最も外縁の最外光線であることを特徴とする、請求項１に記載の照明装置。
【請求項４】
前記光源は、前記撮像部の光軸を中心として、当該撮像部の光軸と直交する方向に互いに対称に設けられた複数の光源で構成されていることを特徴とする、請求項１から３のいずれか１項に記載の照明装置。
【請求項５】
前記複数の光源は、当該複数の光源から照射された光が前記対物カバーの全体において互いに集光するように、設けられていることを特徴とする、請求項４に記載の照明装置。
【請求項６】
前記複数の光源には、可視光を照射する光源、紫外光を照射する光源、及び可視光を偏向した光を照射する光源の少なくとも１つが含まれることを特徴とする、請求項４又は５に記載の照明装置。
【請求項７】
前記対物カバーは、少なくとも第１対物カバーと第２対物カバーとを選択的に採用可能に構成され、
前記第１対物カバーは、前記撮像部の光軸に直交する面の面積が所定の第１面積に設定され、
前記第２対物カバーは、前記撮像部の光軸に直交する面の面積が前記第１面積よりも小さい所定の第２面積に設定されており、
前記光源は、前記第１対物カバーを介して前記対象を照明するための第１光源と、前記第２対物カバーを介して前記対象を照明するための第２光源とを含み、
前記第１光源は、前記撮像レンズの焦点を前記第１対物カバーに接触する前記対象に合わせた状態における前記対象側から前記撮像レンズを介して前記撮像素子に入射する光束のうち、前記第１対物カバーよりも前記対象側の光束に含まれる第１所定光線で規定される領域を、前記第１対物カバーにおいて前記撮像部側に略反転させた領域である第１反転領域よりも外側に設けられ、
前記第２光源は、前記撮像レンズの焦点を前記第２対物カバーに接触する前記対象に合わせた状態における前記対象側から前記撮像レンズを介して前記撮像素子に入射する光束のうち、前記第２対物カバーよりも前記対象側の光束に含まれる第２所定光線で規定される領域を、前記第２対物カバーにおいて前記撮像部側に略反転させた領域である第２反転領域よりも外側に設けられていることを特徴とする、請求項１に記載の照明装置。
【請求項８】
前記第１所定光線は、前記撮像レンズの焦点を前記第１対物カバーに接触する前記対象に合わせた状態において、前記対象側から前記撮像レンズを介して前記撮像素子に入射する前記光束に含まれる複数の上光線のうちの最も外側の上光線と、該光束に含まれる複数の下光線のうちの最も外側の下光線であり、
前記第２所定光線は、前記撮像レンズの焦点を前記第２対物カバーに接触する前記対象に合わせた状態において、前記対象側から前記撮像レンズを介して前記撮像素子に入射する前記光束に含まれる複数の上光線のうちの最も外側の上光線と、該光束に含まれる複数の下光線のうちの最も外側の下光線であることを特徴とする、請求項７に記載の照明装置。
【請求項９】
前記第１所定光線は、前記撮像レンズの焦点を前記第１対物カバーに接触する前記対象に合わせた状態において、前記対象側から前記撮像レンズを介して前記撮像素子に入射する前記光束に含まれる複数の光線のうちの最も外縁の最外光線であり、
前記第２所定光線は、前記撮像レンズの焦点を前記第２対物カバーに接触する前記対象に合わせた状態において、前記対象側から前記撮像レンズを介して前記撮像素子に入射する前記光束に含まれる複数の光線のうちの最も外縁の最外光線であることを特徴とする、請求項７に記載の照明装置。
【請求項１０】
前記第１光源は、複数の第１光源で構成され、当該複数の第１光源から照射された光が前記第１対物カバーの全体において互いに集光するように、設けられ、
前記第２光源は、複数の第２光源で構成され、当該複数の第２光源から照射された光が前記第２対物カバーの全体において互いに集光するように、設けられていることを特徴とする、請求項７から９のいずれか１項に記載の照明装置。
【請求項１１】
前記複数の第１光源の各々及び前記複数の第２光源の各々は、互いに同一の光源で構成されており、
当該同一の光源は、前記第１及び第２対物カバーに対する位置を、又は、前記同一の光源から照射される光の角度を、変更することによって、前記第１及び第２光源として選択的に機能するように構成されていることを特徴とする、請求項１０に記載の照明装置。
【請求項１２】
前記第１光源には、可視光の光源、紫外光の光源、及び可視光を偏向した光源の少なくとも１つが含まれることを特徴とする、請求項７から１１のいずれか１項に記載の照明装置。
【請求項１３】
請求項１から１２のいずれか１項に記載の照明装置及び前記撮像部を備え、前記対象として人体の皮膚を撮像する撮像装置であって、
前記照明装置の前記対物カバーは、前記撮像装置で前記皮膚を撮像する際に、前記皮膚に接触させられるように構成されていることを特徴とする撮像装置。
【請求項１４】
請求項７から１２のいずれか１項に記載の照明装置及び前記撮像部を備え、前記対象として人体の皮膚を撮像する撮像装置であって、
前記第１対物カバーは、前記照明装置に設けられた筒状の第１カバーの頂部に設けられており、
前記第２対物カバーは、筒状の第２カバーの頂部に設けられており、
前記第２カバーは、前記頂部以外の部分に前記照明装置に対して着脱可能とする着脱手段を有しており、
前記第２カバーが前記着脱手段を介して前記照明装置から取り外された状態にある場合、前記第１対物カバーが前記皮膚に接触させられる前記対物カバーとして採用され、
前記第２カバーが前記着脱手段を介して前記第１カバーを覆って前記照明装置に取り付けられた状態にある場合、前記第２対物カバーが前記皮膚に接触させられる前記対物カバーとして採用される、ことを特徴とする撮像装置。
【請求項１５】
前記撮像部で前記対象を撮影する撮影モードを、当該撮像装置のユーザによる操作に応じて、前記第２光源を用いずに前記第１光源により前記対象を照明した状態で前記対象を撮影する第１撮影モードと、前記第１光源を用いずに前記第２光源により前記対象を照明した状態で前記対象を撮影する第２撮影モードとを含む複数の撮影モードの何れかに選択的に設定する設定手段と、
前記第２カバーが前記照明装置に取り付けられた状態にあるか否かを検出する検出手段と、
前記検出手段により前記第２カバーが前記照明装置に取り付けられた状態にあると検出され、かつ、前記撮影モードが前記第１撮影モードに設定されているという条件、及び、前記検出手段により前記第２カバーが前記照明装置に取り付けられていない状態にあると検出され、かつ、前記撮影モードが前記第２撮影モードに設定されているという条件の少なくとも１つの条件が成立している場合に、前記少なくとも１つの条件が成立している旨を前記ユーザに報知する報知手段と、
をさらに備える、ことを特徴とする請求項１４に記載の撮像装置。
【請求項１６】
前記撮像部で前記対象を撮影する撮影モードを、当該撮像装置のユーザによる操作に応じて、前記第２光源を用いずに前記第１光源により前記対象を照明した状態で前記対象を撮影する第１撮影モードと、前記第１光源を用いずに前記第２光源により前記対象を照明した状態で前記対象を撮影する第２撮影モードとを含む複数の撮影モードの何れかに選択的に設定する設定手段と、
前記照明装置への前記第２カバーの取り付け及び前記照明装置からの前記第２カバーの取り外しを検出する検出手段と、をさらに備え、
前記設定手段は、前記撮影モードが前記第１撮影モードに設定されている状態において、前記検出手段により前記第２カバーが前記照明装置に取り付けられたと検出されたときに、前記撮影モードを前記第２撮影モードに切り替え、前記撮影モードが前記第２撮影モードに設定されている状態において、前記検出手段により前記第２カバーが前記照明装置から取り外されたと検出されたときに、前記撮影モードを、前記複数の撮影モードのうちの前記第２撮影モード以外の撮影モードに切り替える、ことを特徴とする請求項１４に記載の撮像装置。
【発明の詳細な説明】
【技術分野】
【０００１】
本発明は、照明装置、及び当該照明装置を備える撮像装置に関する。
【背景技術】
【０００２】
照明装置を備える撮像装置として、例えば引用文献１に開示されたものが知られている。この撮像装置は、人体の皮膚にジェルを介して接触させられる対物ガラスと、光を照射する複数の光源と、撮像するための撮像部とを有している。対物ガラスが接触させられた皮膚は、撮像装置の内部に設けられた複数の光源により照明され、撮像部により撮像される。
【先行技術文献】
【特許文献】
【０００３】
【特許文献１】特許第５７９７９２１号公報
【発明の概要】
【発明が解決しようとする課題】
【０００４】
一般に、皮膚を撮像する撮像装置では、上記の対物ガラスは、皮膚表面の光の反射を取り除くためにジェルを介して皮膚表面に接触させられる必須の構成である。しかしながら、皮膚を照明する光源の位置によっては、光源の光がこの対物ガラスで反射し、光源の反射光による影響により、皮膚を適切に撮像できないおそれがある。このような不具合は、皮膚を撮像する場合に限らず、他の対象を撮像する場合にも同様に生じるおそれがある。
【０００５】
本発明は、このような問題点に着目してなされたもので、光源の反射光による影響を抑制して対象を適切に撮像させることができる照明装置、及び当該照明装置を備えた撮像装置を提供することを目的とする。
【課題を解決するための手段】
【０００６】
上記目的を達成するため、本発明の照明装置は、
対象を撮像するための撮像部に適用される照明装置であって、
光を透過可能な部材で構成され、前記撮像部に前記対象を撮像させるために、前記対象からの光を前記撮像部に導くように設けられた対物カバーと、
前記対物カバーよりも前記撮像部側に設けられ、前記対物カバーを介して前記対象を照明するための光源と、を備え、
前記撮像部は、前記対象を撮像する撮像素子と、前記対象の画像を前記撮像素子に結像させる撮像レンズとを含み、
前記光源は、前記対物カバーに接触する前記対象に前記撮像レンズの焦点を合わせた状態における前記対象側から前記撮像レンズを介して前記撮像素子に入射する光束のうち、前記対物カバーよりも前記対象側の光束に含まれる所定の光線で規定される領域を、前記対物カバーにおいて前記撮像部側に略反転させた領域である反転領域よりも外側に設けられていることを特徴とする。
【発明の効果】
【０００７】
本発明によれば、光源の反射光による影響を抑制することができ、対象を適切に撮像させることができる。
【図面の簡単な説明】
【０００８】
【図１】本発明を適用した実施の形態１に係るダーモスコピーカメラの斜視図であり、（ａ）はアダプタを装着していない状態の図、（ｂ）はアダプタを装着している状態の図。
【図２】ダーモスコピーカメラの分解斜視図。
【図３】ダーモスコピーカメラに設けられた撮像部の斜視断面図。
【図４】ダーモスコピーカメラに設けられた照明装置を図１中の矢視ＩＶからみた正面図。
【図５】図４中の切断線Ｖ−Ｖで切断した照明装置の断面図。
【図６】アダプタを取り付けた照明装置の断面図。
【図７】照明装置本体が有するベース部の正面図。
【図８】照明装置本体が有するベース部から第１ＬＥＤ基板を取り外した状態の正面図。
【図９】図５中の“ＩＸ”部の拡大図。
【図１０】ダーモスコピーカメラの部分断面図。
【図１１】第２ダーモスコピー撮影時に光が照射されている様子を示した概略図。
【図１２】アダプタが取り付けられたダーモスコピーカメラの部分断面図。
【図１３】第２ダーモスコピー撮影時に光が照射されている様子を示した概略図。
【図１４】シミュレーションによる第２対物カバーの照度分布を示した図であり、（ａ）は第２ダーモスコピー撮影用のＬＥＤを発光させたときの図、（ｂ）は第１ダーモスコピー撮影用のＬＥＤを発光させたときの図。
【図１５】ダーモスコピーカメラの撮影動作を説明するためのフローチャート。
【図１６】ダーモスコピー撮影動作を説明するためのフローチャート。
【図１７】第１ダーモスコピー撮影動作を説明するためのフローチャート。
【図１８】第２ダーモスコピー撮影動作を説明するためのフローチャート。
【図１９】設定する撮像対象のピント位置を説明するための説明図。
【図２０】実施の形態２に係るダーモスコピーカメラの部分断面図。
【図２１】アダプタが取り付けられた実施の形態２に係るダーモスコピーカメラの部分断面図。
【図２２】本発明の変形例に係るダーモスコピーカメラのＬＥＤ基板の動作（（ａ）は移動、（ｂ）は回転）を説明するための説明図である。
【図２３】本発明の変形例に係るダーモスコピーカメラの撮影動作を説明するためのフローチャート。
【発明を実施するための形態】
【０００９】
以下、本発明を適用したダーモスコピーカメラの実施形態について、図面を参照しながら説明する。なお、本願明細書では、「マイクロスコープ（Microscope）：顕微鏡」及び「マイクロスコピー（Microscopy）：顕微鏡による検査又は顕微鏡使用（法）」の使い分けに準じ、「ダーモスコープ（Dermoscope）」及び「ダーモスコピー（Dermoscopy）」の用語を、皮膚検査用の拡大鏡（装置）及び同拡大鏡を用いた皮膚検査又は同拡大鏡使用（行為）という意味で用いている。
【００１０】
以下の説明において、図１に示すように、撮像対象（被写体）側をダーモスコピーカメラ１の前方（前面、正面）、その反対側を後方とし、ダーモスコピーカメラ１を前方から見たときの上下左右方向をそのまま上下左右方向とした直交座標系に基づいて説明するものとする。また、各部材に関する取り付けは、特に言及がない限り、ネジ、ビス等を用いた取り付けや、嵌合等の取り付け等、適宜の方法で行われる。
【００１１】
（実施の形態１について）
撮像装置の一例である実施の形態１に係るダーモスコピーカメラ１は、皮膚の状態を診察するための画像を撮像する撮像装置である。ダーモスコピーカメラ１は、図１（ｂ）に示すようにアダプタ７０を取り付けた状態と、図１（ａ）に示すようにアダプタ７０が取り外された状態とで撮像対象を撮像することができる。アダプタ７０は、後述するように、指の間や耳の窪みなど、狭隘な箇所を撮像する際に用いられる。
【００１２】
ダーモスコピーカメラ１は、図２に示すように、コントローラ２と、コントローラ２の前方に設けられたカメラ本体３と、カメラ本体３の前方に設けられた照明装置４と、を有している。
【００１３】
コントローラ２は、各種の操作情報や撮像した画像を表示するとともにユーザの操作を受け付ける設定手段としてのタッチパネル式の液晶モニタ１１が設けられた表示部１０と、シャッタボタン２１及び電源ボタン２２等の操作ボタンが設けられた本体部２０と、表示部１０と本体部２０との間に収容された回路基板３０とを有している。回路基板３０には、撮像された画像を記憶する記憶部２００と、ダーモスコピーカメラ１の各部を制御する制御部３００とが設けられている。
【００１４】
カメラ本体３は、撮像部４０と、撮像部４０を支持した状態で後述するカバー体６０に取り付けられる枠体５０とを有している。図３は、ダーモスコピーカメラ１に設けられた撮像部４０の斜視断面図である。撮像部４０は、光軸ＯＡ上に設けられたレンズ群を有する撮像レンズ系４１を有している。また、撮像レンズ系４１の後方には、回路配線基板４３及び撮像素子４４が収容されており、その前方には、前から順に、赤外カットフィルタ（ＩＲＣＦ：Ｉｎｆｒａｒｅｄ  Ｃｕｔ  Ｆｉｌｔｅｒ）４５、紫外透過フィルタ４６、偏光フィルタ４７が配置されている。また、撮像部４０の左側には、コントローラ２（図２）によって撮像部４０を操作するためのフレキシブル回路基板４８が延在している。
【００１５】
撮像レンズ系４１は、光軸ＯＡ上に第１撮像レンズ４１ａ及び第２撮像レンズ４１ｂを有するレンズ群と、第２撮像レンズ４１ｂを収容した鏡筒４１ｃとを含む。第１撮像レンズ４１ａ及び第２撮像レンズ４１ｂは、撮像対象である皮膚疾患部と撮像素子４４との間に介在し、撮像対象の画像を撮像素子４４に結像させる。第１撮像レンズ４１ａは前後方向に移動可能であり、これにより焦点距離が変化し、拡大倍率を変更することができる。第１撮像レンズ４１ａ及び第２撮像レンズ４１ｂには、両者を合わせて、患者の疾患部を１０〜３０倍に拡大可能なレンズが採用される。
【００１６】
撮像素子４４は、公知の撮像素子であって、例えば、ＣＣＤ（Charge Coupled Device）イメージセンサやＣＭＯＳ（Complementary Metal Oxide Semiconductor）イメージセンサなどであり、被写体の光学像を電気信号に変換するように構成されている。撮像部４０は、撮像素子４４を用いて、撮像対象を撮像することができる。撮像部４０は、例えば静止画及び動画を撮影することができる。
【００１７】
照明装置４は、図２に示すように、コントローラ２の本体部２０に取り付けられるカバー体６０と、カバー体６０の前端に取り付けられる照明装置本体１００と、カバー体６０に取り付けられ照明装置本体１００の前方を覆うアダプタ７０とを有している。上述したように、アダプタ７０は、着脱自在な構成であり、指の間や耳の窪みなどの狭隘な箇所を撮像する際にはカバー体６０に取り付けられる一方、撮像箇所が顔や腕等である場合には、取り外される。このように、アダプタ７０は、撮像に用いられる場合には照明装置４の一部を構成する一方で、撮像に用いられない場合には照明装置４に含まれない。
【００１８】
図１、図２、図４及び図５に示すように、カバー体６０は円筒状に形成されており、その内部には前記カメラ本体３が収容されている。カバー体６０の外周面には、図４に示すように、４つの突起部６１が等間隔で配置されている。この突起部６１は、アダプタ７０を取り付ける際にアダプタ７０と係合し、アダプタ７０を取り外す際にはアダプタ７０との係合状態が解除される。また、カバー体６０の外周面には、図４に示すように、２つの検出スイッチ６２が突起部６１の近傍に等間隔で配置されている。２つの検出スイッチ６２は、照明装置４を前方からみると、上下方向に沿って光軸ＯＡを挟むように配置されている。検出スイッチ６２は、図６に示すように、ばね６２ａによりカバー体６０から突出する方向に付勢されている。アダプタ７０が取り外されている場合、検出スイッチ６２はカバー体６０から突出しＯＦＦ状態にある。一方、アダプタ７０が突起部６１を介して取り付けられている場合、検出スイッチ６２はアダプタ７０に押圧されて引っ込んだ状態となる。この時、検出スイッチ６２の状態はＯＮ状態となる。２つの検出スイッチ６２は、アダプタ７０の着脱を検出する検出手段として機能する。
【００１９】
照明装置本体１００は、図５に示すように、光源としてＬＥＤ（Light Emitting Diode）が搭載された複数のＬＥＤ基板が設けられたベース部１１０と、ベース部１１０の周囲を覆う円環状の第１カバー部１２０と、第１カバー部１２０にねじ止めされた第２カバー部１３０とを有している。
【００２０】
ベース部１１０は、図５、図７及び図８に示すように、ベース部本体１８０と、ベース部本体１８０に設けられた第１〜第６ＬＥＤ基板１１１，１１２，１１３，１１４，１１５，１１６及び４つの偏光板１１７とを備えている。
【００２１】
ベース部本体１８０は、例えば黒色の合成樹脂で構成されている。ベース部本体１８０は、図５及び図８に示すように、円筒部１８１と、円筒部１８１の前端に形成された円環状部１８２と、円環状部１８２の径方向の内側に設けられ、円環状部１８２から斜め後方に向けて延びる第１〜第４壁部１８３〜１８６と、隣接する第１〜第４壁部１８３〜１８６の間に設けられた４つの接続部１８７と、第１〜第４壁部１８３〜１８６の縁部を接続する第５壁部１８８とを有している。
【００２２】
図５に示すように、円筒部１８１の外径はカバー体６０の内径と概ね同じであり、円筒部１８１の外周面はカバー体６０の内周面に嵌合している。これにより、ベース部本体１８０は、カバー体６０に取り付けられている。
【００２３】
円環状部１８２は、図７及び図８に示すように、第１ＬＥＤ基板１１１が取り付けられる基板取付面１８２ａを有している。基板取付面１８２ａは、前方を向くように形成された平面であり、第１ＬＥＤ基板１１１を取り付けるための４つのねじ穴１８２ｂが形成されている。
【００２４】
第１壁部１８３は、図５及び図８に示すように、矩形板状に形成されており、その主面が前方やや下方に向けられ、光軸ＯＡに対して傾斜している。第１壁部１８３には、後方から図示しないねじにより第２ＬＥＤ基板１１２が取り付けられており、第２ＬＥＤ基板１１２のＬＥＤ１４１、１４２、１４３を前方に露出させるための開口１８３ａが形成されている。また、第１壁部１８３の前面には、図８に示すように、偏光板１１７が取り付けられている。
【００２５】
第２壁部１８４は、図８に示すように、矩形板状に形成されており、その主面が前方やや左方に向けられ、光軸ＯＡに対して傾斜している。第２壁部１８４には、後方から図示しないねじにより第３ＬＥＤ基板１１３が取り付けられており、第３ＬＥＤ基板１１３のＬＥＤ１４１、１４２、１４３を前方に露出させるための開口１８４ａが形成されている。また、第２壁部１８４の前面には、図８に示すように、偏光板１１７が取り付けられている。
【００２６】
第３壁部１８５は、図５及び図８に示すように、矩形板状に形成されており、その主面が前方やや上方に向けられ、光軸ＯＡに対して傾斜している。第３壁部１８５には、後方から図示しないねじにより第４ＬＥＤ基板１１４が取り付けられており、第４ＬＥＤ基板１１４のＬＥＤ１４１、１４２、１４３を前方に露出させるための開口１８５ａが形成されている。また、第３壁部１８５の前面には、図８に示すように、偏光板１１７が取り付けられている。
【００２７】
第４壁部１８６は、図８に示すように、矩形状に形成されており、その主面が前方やや右方に向けられ、光軸ＯＡに対して傾斜している。第４壁部１８６には、後方から図示しないねじにより第５ＬＥＤ基板１１５が取り付けられており、第５ＬＥＤ基板１１５のＬＥＤ１４１、１４２、１４３を前方に露出させるための開口１８６ａが形成されている。また、第４壁部１８６の前面には、図８に示すように、偏光板１１７が取り付けられている。
【００２８】
４つの接続部１８７は、円環状部１８２から斜め後方に向けて延びる矩形状の第１〜第４壁部１８３〜１８６の間に形成されている。このように、４つの接続部１８７は、隣接する第１〜第４壁部１８３〜１８６を接続することで、第１〜第４壁部１８３〜１８６とともに周方向に一続きの壁部を形成する。
【００２９】
第５壁部１８８は、図５及び図８に示すように、前方を向いた矩形状の壁部であり、後方に向けて延びる第１〜第４壁部１８３〜１８６の縁部に接続されている。第５壁部１８８には、後方から図示しないねじによって第６ＬＥＤ基板１１６が取り付けられており、第６ＬＥＤ基板１１６に設けられた４つのＬＥＤ１４４を前方に露出させるための開口１８８ａが形成されている。また、第５壁部１８８の中央には、図３に示す撮像部の鏡筒４１ｃが挿通される鏡筒挿通孔１８８ｂが形成されている。
【００３０】
ベース部本体１８０は、第１〜第６ＬＥＤ基板１１１，１１２，１１３，１１４，１１５，１１６及び偏光板１１７を保持した状態で、図６に示すカバー体６０に嵌合されて取り付けられている。
【００３１】
第１ＬＥＤ基板１１１は、図５、図７及び図８に示すように、ベース部本体１８０の基板取付面１８２ａにねじ１８９（図７）で取り付けられた円環状の基板であり、周方向に配置された１６個のＬＥＤ１４０を有している。ＬＥＤ１４０は、例えば白色の光を出射するＬＥＤであり、照明装置本体１００の外周位置から光を前方に向けて出射するリングフラッシュとして機能する。ＬＥＤ１４０は、一般的なカメラとしてダーモスコピーカメラ１（図１）で皮膚疾患部を撮影（通常撮影）する際に、光を発光して皮膚疾患部を照射する。
【００３２】
第２ＬＥＤ基板１１２は、図５及び図８に示すように、ベース部本体１８０の第１壁部１８３に後方からねじ止めされた、左右方向に延びる矩形状の基板である。第２ＬＥＤ基板１１２には、図８に示すように、可視光を出射するＬＥＤ１４１、可視光を出射するＬＥＤ１４２、紫外光を出射するＬＥＤ１４３、可視光を出射するＬＥＤ１４２、及び可視光を出射するＬＥＤ１４１が、左側から右側にこの順序で一列に配置されている。このうち２つのＬＥＤ１４２は偏光板１１７によって覆われている。これにより、２つのＬＥＤ１４２は偏光された光を出射する。なお、第２ＬＥＤ基板１１２は、図５に示すように、上下方向に対して前方に倒れた第１壁部１８３に設けられている。そのため、第２ＬＥＤ基板１１２に設けられたＬＥＤ１４１、１４２、１４３は、撮像部４０の光軸ＯＡを向くように、すなわち図５においては前方やや下向きに配置されている。
【００３３】
第３ＬＥＤ基板１１３は、図８に示すように、ベース部本体１８０の第２壁部１８４に後方からねじ止めされた、上下方向に延びる矩形状の基板であり、第２ＬＥＤ基板１１２に直交する方向に配置されている。第３ＬＥＤ基板１１３には、第２ＬＥＤ基板１１２と同様に、可視光を出射するＬＥＤ１４１、可視光を出射するＬＥＤ１４２、紫外光を出射するＬＥＤ１４３、可視光を出射するＬＥＤ１４２、及び可視光を出射するＬＥＤ１４１が、上側から下側にこの順序で一列に配置されている。このうち、２つのＬＥＤ１４２が偏光板１１７に覆われている点も、第２ＬＥＤ基板１１２の構成と同様である。また、第３ＬＥＤ基板１１３は、ベース部本体１８０の傾斜した第２壁部１８４に設けられており、第３ＬＥＤ基板１１３に設けられたＬＥＤ１４１、１４２、１４３は、撮像部４０の光軸ＯＡを向くように、すなわち図８において前方やや左向きに配置されている。
【００３４】
第４ＬＥＤ基板１１４の構成は、図８に示すように、光軸ＯＡを中心に第２ＬＥＤ基板１１２を１８０°回転させた構成と同じである。すなわち、第２ＬＥＤ基板１１２のＬＥＤ１４１，１４２，１４３と、第４ＬＥＤ基板１１４のＬＥＤ１４１，１４２，１４３とは、光軸ＯＡを中心として上下対称に設けられている。第４ＬＥＤ基板１１４に設けられたＬＥＤ１４１，１４２，１４３は、前方やや上向きに配置されているため、光軸ＯＡ側に向けて光を出射する。なお、第４ＬＥＤ基板１１４に設けられた２つのＬＥＤ１４２は、偏光板１１７に覆われている。また、第５ＬＥＤ基板１１５の構成は、図８に示すように、光軸ＯＡを中心に第３ＬＥＤ基板１１３を１８０°回転させた構成と同じである。すなわち、第３ＬＥＤ基板１１３のＬＥＤ１４１，１４２，１４３と、第５ＬＥＤ基板１１５のＬＥＤ１４１，１４２，１４３とは、光軸ＯＡを中心として左右対称に設けられている。第５ＬＥＤ基板１１５に設けられたＬＥＤ１４１，１４２，１４３は、前方やや右向きに配置されているため、光軸ＯＡ側に向けて光を出射する。なお、第５ＬＥＤ基板１１５に設けられた２つのＬＥＤ１４２は、偏光板１１７に覆われている。第２〜第５ＬＥＤ基板１１２，１１３，１１４，１１５の各々に設けられたＬＥＤ１４１，１４２，１４３は、アダプタ７０（図６）を取り外した図５に示す照明装置４の状態でダーモスコピー撮影（第１ダーモスコピー撮影）をする際に、光を皮膚疾患部に照射する。また、ＬＥＤ１４１を除いたＬＥＤ１４２，１４３は、アダプタ７０を取り付けた図６に示す照明装置４の状態でダーモスコピー撮影（第２ダーモスコピー撮影）をする際にも、光を皮膚疾患部に照射する。
【００３５】
第６ＬＥＤ基板１１６は、図５及び図８に示すように、ベース部本体１８０の第５壁部１８８に後方からねじ止めされた矩形状の基板である。第６ＬＥＤ基板１１６には、ベース部本体１８０の第５壁部１８８に形成された鏡筒挿通孔１８８ｂに一致する鏡筒挿通孔１１６ａが形成されている。また、第６ＬＥＤ基板１１６には、第２ダーモスコピー撮影の際に可視光を出射する４つのＬＥＤ１４４が、鏡筒挿通孔１８８ｂ（１１６ａ）の周囲に配置されている。４つのＬＥＤ１４４は、前方を向くように配置されており、ベース部本体１８０の第５壁部１８８に形成された開口１８８ａにより開放された前方に向けて光を出射する。第６ＬＥＤ基板１１６に設けられた４つのＬＥＤ１４４は、第２ダーモスコピー撮影をする際に、ＬＥＤ１４１の代わりに光を皮膚疾患部に照射する。
【００３６】
このように、照明装置４には、通常撮影をするときに光を出射するＬＥＤ１４０と、第１ダーモスコピー撮影をするときのみに光を出射するＬＥＤ１４１と、第２ダーモスコピー撮影をするときのみに光を出射するＬＥＤ１４４と、第１及び第２ダーモスコピー撮影をするときに光を出射するＬＥＤ１４２，１４３とが設けられている。
【００３７】
図５に示すように、ベース部１１０の前端部の周囲を覆う第１カバー部１２０は、第１カバー部本体１２１と、第１カバー部本体１２１の前面に設けられた透光板１２２とを有している。第１カバー部本体１２１は、例えば黒色の合成樹脂製で、図９に示すように、第１ＬＥＤ基板１１１の前方を覆う円環状のカバー部１２１ａと、カバー部１２１ａに立設した円筒状の外壁部１２１ｂ及び内壁部１２１ｃとを有している。第１カバー部１２０は、外壁部１２１ｂ及び内壁部１２１ｃを円環状部１８２に当接させた状態で、ベース部本体１８０に取り付けられている。第１カバー部本体１２１の後面には、前記第１ＬＥＤ基板１１１及びＬＥＤ１４０を収容するための収容空間Ａが形成されている。この収容空間Ａは、カバー部１２１ａ、外壁部１２１ｂ、内壁部１２１ｃ、及びベース部本体１８０の円環状部１８２によって形成されている。また、カバー部１２１ａには、ＬＥＤ１４０に対応する位置に光出射孔１２１ｄが形成されている。このため、第１ＬＥＤ基板１１１に設けられた１６個のＬＥＤ１４０に対応して、図４に示すように、第１カバー部１２０には１６個の光出射孔１２１ｄが形成されている。透光板１２２は、例えば透明な合成樹脂製で、光出射孔１２１ｄを通して出射されたＬＥＤ１４０からの光を透光するとともに、光出射孔１２１ｄを覆うことでダーモスコピーカメラ１の内部に粉塵が進入するのを防止する。このように、ＬＥＤ１４０からの光を、周方向に配置された複数の光出射孔１２１ｄから出射することで、照明装置４をリングフラッシュとして機能させることができる。
【００３８】
なお、第１カバー部本体１２１の外壁部１２１ｂ及び内壁部１２１ｃは、図９に示すように、第１ＬＥＤ基板１１１の径方向の外側及び内側の端面１１１ａ、１１１ａをそれぞれ覆うように形成されている。また上述したように、収容空間Ａを画定するベース部本体１８０及び第１カバー部本体１２１は、例えば黒色の合成樹脂から形成されている。これにより、第１ＬＥＤ基板１１１を透過したＬＥＤ１４０からの光は、ベース部本体１８０、外壁部１２１ｂ、及び内壁部１２１ｃで吸収されることになる。例えば、第１ＬＥＤ基板１１１を透過して内側の端面１１１ａから出射しようとする光Ｌ１は、内壁部１２１ｃによって吸収される。また、第１ＬＥＤ基板１１１を透過して後方に進もうとする光Ｌ２は、ベース部本体１８０によって吸収される。これにより、ＬＥＤ１４０から出射された光は、光出射孔１２１ｄを通してのみ収容空間Ａから外方へ出射されることになり、ダーモスコピーカメラ１内部（例えば、図１０に示すように、鏡筒４１ｃの先端及びダーモスコピー撮影用のＬＥＤ１４１，１４２，１４３、１４４が位置する空間Ｂ）への光漏れを抑制することができる。また、内壁部１２１ｃには、図９に示すように、第２カバー部１３０を取り付けるためのめねじ１２１ｅが形成されている。
【００３９】
第２カバー部１３０は、図４〜図６などに示すように、円錐台形の筒状に形成された第１カバーとしての筒体１３１と、筒体１３１の頂部（前端部）の開口１３１ａに嵌められた第１対物カバー１３２とを有している。筒体１３１は、透過した光が撮像素子で電気信号に変換されないように光を透過させない材料から構成されており、例えば、ポリ塩化ビニル誘導体、アクリル系樹脂等の樹脂から構成されている。また筒体１３１の表面に光の透過を防止するための塗料を塗布してもよい。筐体１３１の内周面は、光の反射を抑制するためのシボ加工または反射防止塗装が施されている。また、筒体１３１の底部（後端部）には、図９に示すように、内壁部１２１ｃに形成されためねじ１２１ｅと螺合するおねじ１３１ｂが形成されている。このおねじ１３１ｂ及び第１カバー部１２０に形成されためねじ１２１ｅは、第２カバー部１３０を第１カバー部１２０に着脱するための着脱手段として機能する。
【００４０】
図５に示す第１対物カバー１３２は、光を透過可能な部材、例えばガラスで構成され、円板状に形成されている。第１対物カバー１３２は、その主面が光軸ＯＡに直交するように配置されていて、第１対物カバー１３２の主面の面積は所定の第１面積に設定されている。皮膚疾患部をダーモスコピー撮影する場合、皮膚表面での光の乱反射を抑制することが重要である。この光の乱反射を抑制するために、皮膚疾患部にジェルが塗られ、その上から第１対物カバー１３２が押し当てられる。これにより、皮膚疾患部と第１対物カバー１３２との間の空気層が遮断され、皮膚表面での光の乱反射を抑制することができる。このように、皮膚疾患部に押し当てられた第１対物カバー１３２には、図８に示す第２〜６ＬＥＤ基板１１２〜１１６に搭載されたＬＥＤ１４１，１４２，１４３，１４４からの光を透過させて、皮膚疾患部に光を照射するとともに、皮膚疾患部で反射した光をダーモスコピーカメラ１内に入射させ、前記撮像部４０に導く。
【００４１】
第１ダーモスコピー撮影の際、図１０に示すように、皮膚Ｓ１と第１対物カバー１３２とが接触した領域ｒ１の周囲には、皮膚Ｓ１と筒体１３１の先端とが接触した領域ｒ２が形成される。この領域ｒ２で皮膚Ｓ１と接触した筒体１３１によって、外光が遮られ、第１対物カバー１３２と接触した皮膚Ｓ１は外光の影響を受けにくい。これにより、第１対物カバー１３２に接触した皮膚Ｓ１に、第２〜６ＬＥＤ基板１１２〜１１６に搭載されたＬＥＤ１４１，１４２，１４３，１４４からの光を効果的に照射することができる。また、第１対物カバー１３２を皮膚Ｓ１に押し当てることで、皮膚Ｓ１とダーモスコピーカメラ１との距離と照明する皮膚Ｓ１の明るさとを一定に保つことができ露出条件が安定するなど、ダーモスコピー撮影を安定して行うことができる。さらに、第１対物カバー１３２は、湿気やほこりからダーモスコピーカメラ１内を保護する。
【００４２】
アダプタ７０は、図１（ｂ）及び図６に示すように、円錐台状の第２カバーとしての筒体７１と、筒体７１の頂部（前端部）に形成された開口７１ａに嵌められた第２対物カバー７２とを有している。筒体７１は、例えば、ポリ塩化ビニル誘導体、アクリル系樹脂等の樹脂から構成されており、その内周面は、光の反射を抑制するためのシボ加工または反射防止塗装が施されている。また、筒体７１の底部（後端部）には、図６に示すように、鉤状部７１ｂが形成されている。この鉤状部７１ｂを、カバー体６０に形成された突起部６１に係合させることにより、アダプタ７０をカバー体６０に取り付けることができる。これにより、検出スイッチ６２は、アダプタ７０の内壁７０ａによって押圧されて引っ込み、ＯＮ状態となる。一方、アダプタ７０をカバー体６０から取り外す場合には、鉤状部７１ｂを押し拡げて突起部６１との係合状態を解除する。これにより、検出スイッチ６２は、アダプタ７０の内壁７０ａによる押圧状態は解消されてカバー体６０から突出し、ＯＦＦ状態となる。この鉤状部７１ｂ及び突起部６１は、アダプタ７０をカバー体６０に着脱するための着脱手段として機能する。
【００４３】
第２対物カバー７２は、光を透過可能な部材、例えばガラス体で構成され、円板状に形成されており、第２ダーモスコピー撮影時には、撮像対象である皮膚疾患部に接触させられる。第２対物カバー７２は、その主面が光軸ＯＡに直交するように配置されていて、第２対物カバー７２の主面の面積は、第１対物カバー１３２の第１面積よりも小さい所定の第２面積に設定されている。そのため、第２対物カバー７２は、先細の筒体７１によって狭隘な箇所の皮膚疾患部に接触することができる。狭隘な箇所の皮膚疾患部にジェルを塗り、第２対物カバー７２を押し当てることにより、皮膚疾患部の光の乱反射を抑制することができる。第２対物カバー７２には、第２ダーモスコピー撮影の際に、図８に示す第２〜第５ＬＥＤ基板１１２〜１１５に設けられたＬＥＤ１４２，１４３から出射された光、及び第６ＬＥＤ基板１１６に設けられたＬＥＤ１４４から出射された光を透過させて、皮膚疾患部に光を照射するとともに、皮膚疾患部で反射した光を入射させる。
【００４４】
第２ダーモスコピー撮影の際、図１２に示すように、皮膚Ｓ２と第２対物カバー７２とが接触した領域ｒ３の周囲には、皮膚Ｓ２と筒体７１の先端とが接触した領域ｒ４が形成される。この領域ｒ４で皮膚Ｓ２と接触した筒体７１によって、外光が遮られ、第２対物カバー７２と接触した皮膚Ｓ２は外光の影響を受けにくい、また、第２対物カバー７２を設けることで、ダーモスコピー撮影を安定して行うことができるという効果は、上述した第１対物カバー１３２を設けることによる効果と同様である。
【００４５】
次に、図１０〜図１３を参照しながら、照明装置４に設けられた発光手段の一例であるＬＥＤの配置態様について、さらに詳細に説明する。なお、図１０〜図１３においては、図面の複雑化を避けるためにダーモスコピーカメラ１の前側部分のみを図示している。また、図１０〜図１３の断面図のダーモスコピーカメラ１の切断位置は、図５及び図６の断面図の切断位置と同じであり上下方向に沿った切断線によって切断している。また、図１１及び図１３において、ＬＥＤにより光が照射された範囲にハッチングを施しており、明るく照射された領域ほど濃い色でハッチングを施している。
【００４６】
ダーモスコピーカメラ１において、撮像レンズ系４１の鏡筒４１ｃは、図１０に示すように、鏡筒挿通孔１１６ａ、１８８ｂに挿通されてベース部本体１８０から突き出た状態にある。第１ダーモスコピー撮影の際、撮像レンズ系４１はレンズ群を移動させて、第１対物カバー１３２に接触した皮膚Ｓ１にピントを合わせる。このように皮膚Ｓ１が第１対物カバー１３２に接触していると仮定した場合にダーモスコピーカメラ１に光が入射し、さらに、第１撮像レンズ４１ａなどのレンズ群を介して撮像素子４４に入射する光の経路を図１０に示している。
【００４７】
点Ｃは、皮膚Ｓ１上の点であり、撮像素子４４で撮像できる範囲の中で最も上側に位置している。そのため、第１ダーモスコピー撮影時に、撮像対象から第１対物カバー１３２を通って撮像素子４４に入射する光束に含まれる光線のなかで、点Ｃを通過する光線は最も上側（外側）に位置している。皮膚Ｓ１上の点Ｃで反射した光は様々な方向に進み、その一部がレンズ群を介して撮像素子４４に入射する。点Ｃを通過して撮像素子４４に入射する光線のうち、最も上側の光線は上光線１７１であり、最も下側の光線は下光線１７２である。また、上光線１７１は、第１対物カバー１３２を通過して撮像素子４４に入射する複数の上光線のうちの最も上側（外側）の上光線である。点Ｃを通過する上光線１７１及び下光線１７２は、第１対物カバー１３２を透過し、第２撮像レンズ４１ｂ及び第１撮像レンズ４１ａを含むレンズ群で屈折して、撮像素子４４の端部の点Ｃ´で集光する。なお、点Ｃを通過する光線であって、上光線１７１と下光線１７２との間に位置する光線（例えば主光線）も、同様に、第１対物カバー１３２を透過し、第２撮像レンズ４１ｂなどのレンズ群で屈折して、撮像素子４４の端部の点Ｃ´に集光する。
【００４８】
なお、第１ダーモスコピー撮影時に第１対物カバー１３２に皮膚Ｓ１接触させると、第１対物カバー１３２よりも前側からは光がほとんど入射しなくなる。そのため、上光線１７１及び下光線１７２の第１対物カバー１３２よりも前側（皮膚Ｓ１側）の部分の光線は仮想的な光線となることから、この部分を仮想上光線１７１ａ及び仮想下光線１７２ａとも記載する。
【００４９】
反転上光線１７１´は、点Ｃを通過する上光線１７１であって、第１対物カバー１３２よりも前側（皮膚Ｓ１側）の部分（仮想上光線１７１ａ）を、第１対物カバー１３２の前面１３２ａから上下方向（光軸ＯＡに直交する方向）に延びる線を対称軸として、撮像素子４４側に反転させた仮想的な光線である。反転下光線１７２´は、点Ｃを通過する下光線１７２であって、第１対物カバー１３２よりも前側（皮膚Ｓ１側）の部分（仮想下光線１７２ａ）を、第１対物カバー１３２の前面１３２ａから上下方向に延びる線を対称軸として、撮像素子４４側に反転させた仮想的な光線である。
【００５０】
点Ｄは、皮膚Ｓ１上の点であり、撮像素子４４で撮像できる範囲の中で最も下側に位置している。そのため、第１ダーモスコピー撮影時に、撮像対象から第１対物カバー１３２を通って撮像素子４４に入射する光束に含まれる光線のなかで、点Ｄを通過する光線は最も下側（外側）に位置している。皮膚Ｓ１上の点Ｄで反射した光は様々な方向に進み、その一部がレンズ群を介して撮像素子４４に入射する。点Ｄを通過して撮像素子４４に入射する光線のうち、最も上側の光線は上光線１７３であり、最も下側の光線は下光線１７４である。また、下光線１７４は、レンズ群を介して撮像素子４４に入射する複数の下光線のうちの最も下側（外側）の下光線である。なお、実線で図示した上光線１７１及び下光線１７２と容易に見分けがつくように、上光線１７３及び下光線１７４は、破線を用いて図示している。点Ｄを通過する上光線１７３及び下光線１７４は、第１対物カバー１３２を透過し、レンズ群（第２撮像レンズ４１ｂなど）で屈折して、撮像素子４４の端部の点Ｄ´に集光する。なお、点Ｄを通過する光線であって、上光線１７３と下光線１７４との間に位置する光線（例えば主光線）も、同様に、第１対物カバー１３２を透過し、レンズ群で屈折して、撮像素子４４の端部の点Ｃ´に集光する。
【００５１】
なお、第１ダーモスコピー撮影時に第１対物カバー１３２に皮膚Ｓ１接触させると、第１対物カバー１３２よりも前側からは光がほとんど入射しなくなる。そのため、上光線１７３及び下光線１７４の第１対物カバー１３２よりも前側（皮膚Ｓ１側）の部分の光線は仮想的な光線となることから、この部分を仮想上光線１７３ａ及び仮想下光線１７４ａとも記載する。
【００５２】
反転上光線１７３´は、点Ｄを通過する上光線１７３であって、第１対物カバー１３２よりも前側（皮膚Ｓ１側）の部分（仮想上光線１７３ａ）を、第１対物カバー１３２の前面１３２ａから上下方向（光軸ＯＡに直交する方向）に延びる線を対称軸として、撮像素子４４側に反転させた仮想的な光線である。反転下光線１７４´は、点Ｄを通過する下光線１７４であって、第１対物カバー１３２よりも前側（皮膚Ｓ１側）の部分（仮想下光線１７４ａ）を、第１対物カバー１３２の前面１３２ａから上下方向に延びる線を対称軸として、撮像素子４４側に反転させた仮想的な光線である。
【００５３】
ここで、第１対物カバー１３２を通り撮像素子４４に入射する光束に含まれる光線のなかで最も上側の上光線である上光線１７１と最も下側の下光線である下光線１７４とで挟まれた領域のうち、第１対物カバー１３２よりも前方にある第１領域５０１ａを、第１対物カバー１３２の前面１３２ａから上下方向（光軸ＯＡに直交する方向）に延びる線を対称軸として反転させた領域を、第１反転領域５０１ｂとする。第１領域５０１ａは、仮想上光線１７１ａと仮想下光線１７４ａとで挟まれた仮想的な領域である。また、第１反転領域５０１ｂは、反転上光線１７１´と反転下光線１７４´とで挟まれた仮想的な領域である。なお、第１領域５０１ａ及び第１反転領域５０１ｂは、断面図では台形状で示されるが、実際には、前者第１領域５０１ａについては仮想上光線１７１ａ及び仮想下光線１７４ａを光軸ＯＡを中心として回転させることによって形成される領域であり、後者第１反転領域５０１ｂについてはこの領域を反転させたものであり、いずれも円錐台状の領域である。このとき、第２ＬＥＤ基板１１２及び第４ＬＥＤ基板１１４のＬＥＤ１４１，１４２，１４３は、光軸ＯＡから見て、第１反転領域５０１ｂよりも外側の領域に位置している。このような配置とすることで、第１対物カバー１３２の後面１３２ｂで反射したＬＥＤ１４１，１４２，１４３からの光が、撮像素子４４に入射するのを制限することができる。これにより第１対物カバー１３２の後面１３２ｂに反射したＬＥＤ１４１，１４２，１４３の反射光による影響を、撮像した画像の中央の領域に及ぼさずに抑制することができる。
【００５４】
また、撮像素子４４に入射する第１対物カバー１３２よりも前方の光束に含まれる光線のなかで最も外縁の光線は、仮想下光線１７２ａ及び仮想上光線１７３ａである。仮想下光線１７２ａと仮想上光線１７３ａとで挟まれた領域のうち、第１対物カバー１３２よりも前方にある第２領域５０２ａを、第１対物カバー１３２の前面１３２ａから上下方向（光軸ＯＡに直交する方向）に延びる線を対称軸として反転させた領域を、第２反転領域５０２ｂとする。第２領域５０２ａは、仮想下光線１７２ａと仮想上光線１７３ａとで挟まれた仮想的な領域である。また、第２反転領域５０２ｂは、反転下光線１７２´と反転上光線１７３´とで挟まれた仮想的な領域でもある。なお、第２領域５０２ａ及び第２反転領域５０２ｂは、断面図では台形状で示されるが、実際には、前者５０２ａについては、仮想下光線１７２ａ及び仮想上光線１７３ａを、光軸ＯＡを中心として回転させることによって形成される領域であり、後者５０２ｂについては、この領域を反転させたものであり、いずれも円錐台状の領域である。第２ＬＥＤ基板１１２及び第４ＬＥＤ基板１１４に設けられたＬＥＤ１４１，１４２，１４３は、第２反転領域５０２ｂ内に配置されている。これにより、ＬＥＤ１４１，１４２，１４３が大きく外側に配置されることがなくなり、照明装置４及びダーモスコピーカメラ１の大型化を抑制することができる。
【００５５】
このように上下方向に沿った切断線で切断した断面図（図１０）を参照しながら、上下方向に並んだ第２ＬＥＤ基板１１２及び第４ＬＥＤ基板１１４のＬＥＤ１４１，１４２，１４３の配置態様について説明した。同様に、左右方向に並んだ第３ＬＥＤ基板１１３（図８）及び第５ＬＥＤ基板１１５（図８）のＬＥＤ１４１，１４２，１４３の配置態様も、左右方向に沿って切断した断面図を参照しながら説明することができる。すなわち、第３ＬＥＤ基板１１３（図８）及び第５ＬＥＤ基板１１５（図８）のＬＥＤ１４１，１４２，１４３も、光軸ＯＡから見て第１反転領域５０１ｂよりも外側の領域に配置され、かつ、第２反転領域５０２ｂ内に配置されている。
【００５６】
第２ＬＥＤ基板１１２に設けられたＬＥＤ１４１，１４２，１４３は、図１１に示すように、前方やや下方を向くように配置されている。同様に、第４ＬＥＤ基板１１４に設けられたＬＥＤ１４１，１４２，１４３は、図１１に示すように、前方やや上方を向くように配置されている。また、第３ＬＥＤ基板１１３に設けられたＬＥＤ１４１，１４２，１４３は、図８に示すように、前方やや左方を向くように配置されており、第５ＬＥＤ基板１１５に設けられたＬＥＤ１４１，１４２，１４３は、前方やや右方を向くように配置されている。このような配置態様により、第１ダーモスコピー撮影時に発光する第２〜第５ＬＥＤ基板１１２〜１１５に設けられた各ＬＥＤ１４１，１４２，１４３は、第１対物カバー１３２に向けて光を出射する。これにより、第１対物カバー１３２の全域を明るく照射される空間Ｂ１に位置させることができ、第１対物カバー１３２に接触した皮膚Ｓ１を、明暗のムラを抑制しかつ明るく照射することができる。
【００５７】
以上のように、第１ダーモスコピー撮影時に、発光するＬＥＤ１４１，１４２，１４３からの光を第１対物カバー１３２に向けて集光させることによって、皮膚Ｓ１を明暗のムラを抑制して明るく照射できる。また、ＬＥＤ１４１，１４２，１４３の位置を上記で説明した配置とすることで、第１対物カバー１３２で反射したＬＥＤ１４１，１４２，１４３の反射光による影響を、撮像画像の中央の領域に及ぼさずに抑制するとともに、照明装置４及びダーモスコピーカメラ１の大型化を抑制している。
【００５８】
次に、第２ダーモスコピー撮影時に発光する第６ＬＥＤ基板１１６に設けられたＬＥＤ１４４の配置態様について説明する。第２ダーモスコピー撮影の際、撮像レンズ系４１はレンズ群を移動させて、図１２に示すように、第２対物カバー７２に接触した皮膚Ｓ２にピントを合わせる。このように皮膚Ｓ２が第２対物カバー７２に接触していると仮定した場合にダーモスコピーカメラ１に入射し、さらに、第１撮像レンズ４１ａなどのレンズ群を介して撮像素子４４に入射する光の経路を図１２に示している。
【００５９】
点Ｅは、皮膚Ｓ２上の点であり、撮像素子４４で撮像できる範囲の中で最も上側に位置している。そのため、第２ダーモスコピー撮影時に、撮像対象から第２対物カバー７２を通って撮像素子４４に入射する光束に含まれる光線のなかで、点Ｅを通過する光線は最も上側（外側）に位置している。皮膚Ｓ２上の点Ｅで反射した光は様々な方向に進み、その一部がレンズ群を介して撮像素子４４に入射する。点Ｅを通過して撮像素子４４に入射する光線のうち、最も上側の光線は上光線１７５であり、最も下側の光線は下光線１７６である。また、上光線１７５は、第２対物カバー７２を通過して撮像素子４４に入射する複数の上光線のうちの最も上側（外側）の上光線である。点Ｅを通過する上光線１７５及び下光線１７６は、第２対物カバー７２及び第１対物カバー１３２を透過し、レンズ群で屈折して、撮像素子４４の端部の点Ｅ´に集光する。
【００６０】
なお、第２ダーモスコピー撮影時に第２対物カバー７２に皮膚Ｓ２を接触させると、第２対物カバー７２よりも前側からは光がほとんど入射しなくなる。そのため、上光線１７５及び下光線１７６の第２対物カバー７２よりも前側（皮膚Ｓ２側）の部分の光線は仮想的な光線となることから、この部分を仮想上光線１７５ａ及び仮想下光線１７６ａとも記載する。
【００６１】
反転上光線１７５´は、点Ｅを通過する上光線１７５であって、第２対物カバー７２よりも前側（皮膚Ｓ２側）の部分（反転上光線１７５ａ）を、第２対物カバー７２の前面７２ａから上下方向（光軸ＯＡに直交する方向）に延びる線を対称軸として、撮像素子４４側に反転させた仮想的な光線である。反転下光線１７６´は、点Ｅを通過する下光線１７６であって、第２対物カバー７２よりも前側（皮膚Ｓ２側）の部分（仮想下光線１７６ａ）を、第２対物カバー７２の前面７２ａから上下方向に延びる線を対称軸として、撮像素子４４側に反転させた仮想的な光線である。
【００６２】
点Ｆは、皮膚Ｓ２上の点であり、撮像素子４４で撮像できる範囲の中で最も下側に位置している。そのため、第２ダーモスコピー撮影時に、撮像対象から第２対物カバー７２を通って撮像素子４４に入射する光束に含まれる光線のなかで、点Ｆを通過する光線は最も下側（外側）に位置している。皮膚Ｓ２上の点Ｆで反射した光は様々な方向に進み、その一部がレンズ群を介して撮像素子４４に入射する。点Ｆを通過して撮像素子４４に入射する光線のうち、最も上側の光線は上光線１７７であり、最も下側の光線は下光線１７８である。また、下光線１７８は、第２対物カバー７２を通過して撮像素子４４に入射する複数の下光線のうちの最も下側（外側）の下光線である。点Ｆを通過する上光線１７７及び下光線１７８は、第２対物カバー７２及び第１対物カバー１３２を透過し、レンズ群で屈折して、撮像素子４４の端部の点Ｆ´に集光する。
【００６３】
なお、第２ダーモスコピー撮影時に第２対物カバー７２に皮膚Ｓ２を接触させると、第２対物カバー７２よりも前側からは光がほとんど入射しなくなる。そのため、上光線１７７及び下光線１７８の第２対物カバー７２よりも前側（皮膚Ｓ２側）の部分の光線は仮想的な光線となることから、この部分を仮想上光線１７７ａ及び仮想下光線１７８ａとも記載する。
【００６４】
反転上光線１７７´は、点Ｆを通過する上光線１７７であって、第２対物カバー７２よりも前側（皮膚Ｓ２側）の部分（仮想上光線１７７ａ）を、第２対物カバー７２の前面７２ａから上下方向（光軸ＯＡに直交する方向）に延びる線を対称軸として、撮像素子４４側に反転させた仮想的な光線である。反転下光線１７８´は、点Ｆを通過する下光線１７８であって、第２対物カバー７２よりも前側（皮膚Ｓ２側）の部分（仮想下光線１７８ａ）を、第２対物カバー７２の前面７２ａから上下方向に延びる線を対称軸として、撮像素子４４側に反転させた仮想的な光線である。
【００６５】
ここで、第２対物カバー７２を通り撮像素子４４に入射する光束に含まれる光線のなかで最も上側の上光線である上光線１７５と最も下側の下光線である下光線１７８とで挟まれた領域のうち、第２対物カバー７２よりも前方にある第３領域５０３ａを、第２対物カバー７２の前面７２ａから上下方向（光軸ＯＡに直交する方向）に延びる線を対称軸として反転させた領域を第３反転領域５０３ｂとする。第３領域５０３ａは、仮想上光線１７５ａと仮想下光線１７８ａとで挟まれた仮想的な領域である。また、第３反転領域５０３ｂは、反転上光線１７５´と反転下光線１７８´とで挟まれた仮想的な領域である。なお、第３反転領域５０３ａ及び第３反転領域５０３ｂは、断面図では台形状で示されるが、実際には、前者第３反転領域５０３ａについては仮想上光線１７５ａ及び仮想下光線１７８ａを光軸ＯＡを中心として回転させることによって形成される領域であり、後者第３反転領域５０３ｂについてはこの領域を反転させたものであり、いずれも円錐台状の領域である。このとき、第６ＬＥＤ基板１１６に設けられたＬＥＤ１４４は、第３反転領域５０３ｂよりも外側の領域に位置している。なお、第６ＬＥＤ基板１１６に設けられたＬＥＤ１４４は、左右方向に沿って切断した断面図においても同様の配置となっており、光軸ＯＡから見て第３反転領域５０３ｂよりも外側の領域に位置している。このような配置とすることで、第２対物カバー７２の後面７２ｂで反射したＬＥＤ１４４からの光が、撮像素子４４に入射するのを制限することができる。これにより第２対物カバー７２の後面７２ｂに反射したＬＥＤ１４４の反射光による影響を、撮像した画像の中央の領域に及ぼさずに抑制することができる。
【００６６】
また、撮像素子４４に入射する第２対物カバー７２よりも前方の光束に含まれる光線のなかで最も外縁の光線は、仮想下光線１７６ａ及び仮想上光線１７７ａである。仮想下光線１７６ａと仮想上光線１７７ａとで挟まれた領域のうち、第２対物カバー７２よりも前方にある第４領域５０４ａを、第２対物カバー７２の前面７２ａから上下方向（光軸ＯＡに直交する方向）に延びる線を対称軸として反転させた領域を、第４反転領域５０４ｂとする。第４領域５０４ａは、仮想下光線１７６ａと仮想上光線１７７ａとで挟まれた仮想的な領域である。また、第４反転領域５０４ｂは、反転下光線１７６´と反転上光線１７７´とで挟まれた領域でもある。なお、第４反射領域５０４ａ及び第４反転領域５０４ｂは、断面図では台形状で示されるが、実際には、前者第１領域５０１ａについては仮想下光線１７６ａ及び仮想上光線１７７ａを光軸ＯＡを中心として回転させることによって形成される領域であり、後者第１反転領域５０１ｂについてはこの領域を反転させたものであり、いずれも円錐台状の領域である。第６ＬＥＤ基板１１６に設けられたＬＥＤ１４４は、第４反転領域５０４ｂ内に配置されている。なお、第６ＬＥＤ基板１１６に設けられたＬＥＤ１４４は、左右方向に沿って切断した断面図においても同様の配置となっており、第４反転領域５０４ｂ内に配置されている。これにより、ＬＥＤ１４４は、光軸ＯＡに寄った位置から第２対物カバー７２に対して光を照射することができ、皮膚Ｓ２に照射される光のムラを抑制することができる。
【００６７】
また、上述したように、４つのＬＥＤ１４４は、前方に向けて配置されている。そして、第２ダーモスコピー撮影時に４つのＬＥＤ１４４から前方へと出射された光は、図１３に示すように、第２対物カバー７２に集光することができる。これにより、第２対物カバー７２の全域を、明るく照射される空間Ｂ４に位置することができ、第２対物カバー７２に接触した皮膚Ｓ２に明暗ムラを抑制して明るく照射することができる。
【００６８】
上述のように、ダーモスコピーカメラ１において、第１ダーモスコピー撮影の際、可視光をＬＥＤ１４１から出射するが、第２ダーモスコピー撮影の際には光軸ＯＡにより近いＬＥＤ１４４から可視光を出射する。これにより、光軸ＯＡを中心に配置された径の小さな第２対物カバー７２に光を照射させやすくできる。このことは、図１４に示す第２対物カバーの照度分布のシミュレーションによっても理解することができる。図１４において、具体的に発光させたＬＥＤとして、（ａ）においては図８に示すＬＥＤ１４４であり、（ｂ）においては図８に示す８つのＬＥＤ１４１である。図１４（ａ）に示す第２対物カバーの領域７３では、明暗のムラが抑制されて、均一に明るく照射されている。一方、図１４（ｂ）に示す第２対物カバーの領域７４では、一部に光が十分に照射されずに暗くなった領域７４ａが存在しており、明暗のムラが発生している。
【００６９】
このように第１ダーモスコピー撮影用のＬＥＤ１４１（図８）を発光させた場合に、第２対物カバー７２に明暗ムラが生じる理由として、ＬＥＤ１４１の配置態様が挙げられる。第１ダーモスコピー撮影用のＬＥＤ１４１は、上述のように第１対物カバー１３２に向けて光を照射するように配置されている。このＬＥＤ１４１の１つが出射した光に着目すると、図１１に示すように、第１対物カバー１３２を透過した光は、第２対物カバー７２の一部を照射するものの、全域を照射することはない。そのため、第２対物カバー７２の一部は明るく照射される空間Ｂ１に位置する一方で、第２対物カバー７２の残りの領域は空間Ｂ１よりも暗い空間Ｂ２、Ｂ３に位置することになる。これにより、第２対物カバー７２に明暗のムラが生じることなる。このような明暗のムラは、第１ダーモスコピー撮影の際に発光するＬＥＤ１４１、ＬＥＤ１４２、ＬＥＤ１４３の中で、最も光軸ＯＡから離れた位置に配置されたＬＥＤ１４１で顕著に発生する。
【００７０】
一方、第２ダーモスコピー撮影用のＬＥＤ１４４を、第１ダーモスコピー撮影用のＬＥＤ１４１よりも光軸ＯＡに近づけて配置したことにより、図１３に示すように、ＬＥＤ１４４から前方へ出射された光によって第２対物カバー７２を均一に照射することが可能となる。これにより、第２ダーモスコピー撮影で撮像した画像に明暗のムラを抑制し、診断のしやすい画像を撮像することができる。
【００７１】
次に、図１５〜図１９を参照しながら、ダーモスコピーカメラ１の動作について説明する。なお、図１９においては、図面の理解が容易にできるように、ピント位置の説明に必要なダーモスコピーカメラ１の構成のみを図示している。なお、ダーモスコピーカメラ１の各部の動作は、図２に示す回路基板３０に設けられた制御部３００により制御される。
【００７２】
ダーモスコピーカメラ１は、ユーザにより電源ボタン２２（図１）が操作されると起動し、図１５に示すように、まず、ユーザによる撮影モードの設定を受け付ける（ステップＳ１１）。撮影モードには、上述した通常撮影をする通常撮影モード、第１ダーモスコピー撮影をする第１ＤＣ（Ｄｅｒｍｏｓｃｏｐｙ）撮影モード、及び第２ダーモスコピー撮影をする第２ＤＣ撮影モードが含まれる。ダーモスコピーカメラ１は、図２に示す表示部１０に設けられたタッチパネル式の液晶モニタ１１に選択可能な３つの撮影モードを表示する。ユーザは、液晶モニタ１１へのタッチ操作により上記の３つの撮影モードの何れか１つを選択し、それに応じて、制御部３００は、選択された撮影モードに、撮影モードを設定する。
【００７３】
次に、制御部３００は、撮影モードとして通常撮影モードが設定されているか否か判別する（ステップＳ１２）。ステップＳ１２において、通常撮影モードが設定されている場合（ステップＳ１２：Ｙｅｓ）、制御部３００は、アダプタ７０が照明装置４に取り付けられた状態か否かを判別する（ステップＳ１３）。アダプタ７０の取り付けの有無は、検出スイッチ６２のＯＮ／ＯＦＦ状態から判別される。すなわち、２つの検出スイッチ６２がカバー体６０から突出した状態でＯＦＦ状態である場合、制御部３００は、アダプタ７０が取付けられた状態にないと判断する。一方、２つの検出スイッチ６２が引っ込んだ状態でＯＮ状態である場合、及び２つの検出スイッチ６２のうちの一方がＯＮ状態で他方がＯＦＦ状態である場合、制御部３００はアダプタ７０が取付けられた状態にあると判断する。なお、一方の検出スイッチ６２のみがＯＮ状態とは、不完全な状態でアダプタ７０がカバー体６０に取り付けられている状態である。
【００７４】
ステップＳ１３において、制御部３００が、アダプタ７０が照明装置４に取り付けられた状態にないと判断すると（ステップＳ１３：Ｎｏ）、通常撮影用のＬＥＤ１４０（図５）を発光させる（ステップＳ１４）。これにより、皮膚疾患部が明るく照射される。
【００７５】
スッテプＳ１３において、制御部３００は、アダプタ７０が取り付けられた状態にあると判断すると（ステップＳ１３：Ｙｅｓ）、アダプタ７０の取り外しを報知する（ステップＳ１７）。例えば、制御部３００は、液晶モニタ１１（図２）に「アダプタを取り外してください」と表示して、アダプタ７０の取り外しをユーザに促せばよい。これにより、ユーザにアダプタ７０を取り外させることができ、通常撮影時にＬＥＤ１４０の光がアダプタ７０によって阻害されることなく、皮膚疾患部を明るく照射することができる。
【００７６】
続いて、ユーザにより図１に示すシャッタボタン２１が半押しされると、制御部３００は、撮像レンズ系４１のレンズ群を移動させて、フォーカス範囲Ｐ１〜∞で撮像対象である皮膚疾患部にオートフォーカスする（ステップＳ１５）。ここで、Ｐ１はフォーカス開始位置であり、∞位置までレンズ群を移動させながら合焦位置をサーチする。
【００７７】
ここで、フォーカス開始位置Ｐ１について説明する。図１９中の二点鎖線は、第１対物カバー１３２の後面１３２ｂに写りこむダーモスコピーカメラ１の構成要素の虚像を示している。これらの虚像は、後面１３２ｂを挟んで実体物と対称となる位置に発生する。すなわち、第１対物カバー１３２の後面１３２ｂから距離ｄ１だけ離れた位置にある鏡筒４１ｃの虚像４１ｃ´は、後面１３２ｂを挟んで距離ｄ１だけ離れた位置に発生する。また、第１対物カバー１３２の後面１３２ｂから距離ｄ２だけ離れた位置にあるＬＥＤ１４４の虚像１４４´は、後面１３２ｂを挟んで距離ｄ２だけ離れた位置に発生する。同様に、第１対物カバー１３２の後面１３２ｂから距離ｄ３だけ離れた位置にあるベース部本体１８０の虚像１８０´は、後面１３２ｂを挟んで距離ｄ３だけ離れた位置に発生する。ここで、後面１３２ｂに写り込む虚像が位置する虚像発生範囲Ｄ１にピントを合わせると、鏡筒４１ｃ´の先端部、ベース部本体１８０´の表面に形成された凹凸や各種治具、あるいはＬＥＤ１４４´にピントが合わされ、これらの虚像が撮像画像に写りこむことがある。そこで、フォーカス開始位置Ｐ１は、虚像発生範囲Ｄ１から外れた位置に設定されている。
【００７８】
なお、通常撮影時において、ユーザは、撮像対象の皮膚疾患部と、第１対物カバー１３２の前面１３２ａとの距離を認識することができる。そこで、ステップＳ１１で通常撮影モードが設定されている場合、虚像が撮像画像に写りこまない皮膚疾患部と第１対物カバー１３２との間隔を、図２に示す液晶モニタ１１に表示し、ピント位置を虚像発生範囲Ｄ１から外すようにユーザに促してもよい。これにより、オートフォーカス位置Ｐ１から∞位置までの間に、撮像対象である皮膚疾患部を位置させることができ、オートフォーカスをスムーズに完了させることができる。
【００７９】
続いて、ユーザにより図１に示すシャッタボタン２１が押し込まれることで、制御部３００は、皮膚疾患部を通常撮影し、通常撮影した画像を保存する（ステップＳ１６）。これにより、皮膚疾患部の通常撮影が完了する。
【００８０】
一方、制御部３００は、ステップＳ１１において第１ＤＣ撮影モードあるいは第２ＤＣ撮影モードが設定されていると判断すると（ステップＳ１２：ＮＯ）、ダーモスコピー撮影動作（ステップＳ２０）を実行する。
【００８１】
ダーモスコピー撮影動作（ステップＳ２０）において、まず図１６に示すように、制御部３００は、撮影モードが第１ＤＣ撮影モードに設定されているか否かを判別する（ステップＳ２１）。第１ＤＣ撮影モードが設定されている場合（ステップＳ２１：Ｙｅｓ）、制御部３００はアダプタ７０が照明装置４に取り付けられた状態にあるか否かを判別する（ステップＳ２２）。アダプタ７０の取り付けの有無は、検出スイッチ６２のＯＮ／ＯＦＦ状態から判別される点は上述したとおりである。ステップＳ２２において、アダプタ７０が取り付けられた状態にないと判断すると（ステップＳ２２：Ｎｏ）、制御部３００は第１ダーモコピー撮影動作を実行する（ステップＳ３０）。
【００８２】
一方、ステップＳ２２において、制御部３００は、アダプタ７０が取り付けられた状態にあると判断すると（ステップＳ２２：Ｙｅｓ）、アダプタ７０の取り外しを報知する（ステップＳ２３）。これにより、ユーザにアダプタ７０の取り外しをユーザに促して取り外させることができる。これにより、アダプタ７０を取り外した適切な状態で、第１ダーモスコピー撮影動作（Ｓ３０）を実行することができる。
【００８３】
第１ダーモスコピー撮影動作（ステップＳ３０）においては、図１７に示すように、制御部３００は、撮像対象である皮膚疾患部のピント位置をＰ２に仮設定する（ステップＳ３１）。ここでピント位置Ｐ２は、図１９に示すように、皮膚疾患部に接触する第１対物カバー１３２の前面１３２ａの位置である。これにより、予め、撮像対象である皮膚疾患部の位置にピントを合わせておくことができる。
【００８４】
続いて、制御部３００は、可視光を出射する８つのＬＥＤ１４１（図８）を発光させる（ステップＳ３２）。これにより、第１対物カバー１３２（図１１）に接触した皮膚疾患部が可視光により明るく照射される。次に、ユーザにより図１に示すシャッタボタン２１が半押しされると、制御部３００は撮像対象である皮膚疾患部にオートフォーカスする（ステップＳ３３）。上述したように、ステップＳ３１で、予め第１対物カバー１３２に接触する皮膚疾患部の位置にピント位置を合わせていることから、オートフォーカスをスムーズに完了させることができる。続いて、ユーザにより図１に示すシャッタボタン２１が押し込まれることで、制御部３００は皮膚疾患部を第１ダーモスコピー撮影し、撮影した画像を保存する（ステップＳ３４）。次に、制御部３００は８つのＬＥＤ１４１（図８）を消灯する（ステップＳ３５）。このように、ステップＳ３２〜ステップＳ３５を実行することで、可視光により照射された皮膚疾患部の第１ダーモスコピー撮影を実行することができる。
【００８５】
続いて、制御部３００は、可視光を出射する８つのＬＥＤ１４２（図８）を発光させ、偏光板１１７（図８）により偏光された光を出射する（ステップＳ３６）。これにより、第１対物カバー１３２（図１１）に接触した皮膚疾患部が偏光光により明るく照射される。続いて、制御部３００は、皮膚疾患部を第１ダーモスコピー撮影し、撮影した画像を保存する（ステップＳ３７）。次に、制御部３００は、８つのＬＥＤ１４２（図８）を消灯する（ステップＳ３８）。このように、ステップＳ３６〜ステップＳ３８を実行することで、偏光光により照射された皮膚疾患部の第１ダーモスコピー撮影を実行することができる。
【００８６】
続いて、制御部３００は、紫外光を出射する４つのＬＥＤ１４３（図８）を発光させる（ステップＳ３９）。これにより、第１対物カバー１３２（図１１）に接触した皮膚疾患部が紫外光により明るく照射される。続いて制御部３００は、皮膚疾患部を第１ダーモスコピー撮影し、撮影した画像を保存する（ステップＳ４０）。次に、制御部３００は、４つのＬＥＤ１４３（図８）を消灯する（ステップＳ４１）。このように、ステップＳ３９〜ステップＳ４１を実行することで、紫外光により照射された皮膚疾患部の第１ダーモスコピー撮影を実行することができる。
【００８７】
以上のように、第１ダーモスコピー撮影においては、シャッタボタン２１（図１）を一度操作することで、可視光が照射された皮膚疾患部、偏光光が照射された皮膚疾患部、及び紫外光が照射された皮膚疾患部が連続して撮像され、撮像された画像が記録される。皮膚疾患部のオートフォーカスはステップＳ３３で実行しているため、その後の第１ダーモスコピー撮影では、オートフォーカスの動作を省略することができる。
【００８８】
一方、図１６に示すように、第２ＤＣ撮影モードが設定されている場合（ステップＳ２１：ＮＯ）、制御部３００はアダプタ７０が照明装置４に取り付けられた状態にあるか否かを判別する（ステップＳ２４）。このとき、２つの検出スイッチ６２のうち、少なくとも１つが引っ込んだ状態でＯＮ状態にある場合、制御部３００は、アダプタ７０が取り付けられた状態にあると判断し（ステップＳ２４：Ｙｅｓ）、処理をステップＳ２５にすすめる。一方、２つの検出スイッチ６２がＯＦＦ状態にある場合は（ステップＳ２４：Ｎｏ）、制御部３００はアダプタ７０の取り付けを報知する（ステップＳ２６）。例えば、制御部３００は、液晶モニタ１１（図２）に「アダプタを取り付けてください」と表示して、ユーザにアダプタ７０の取り付けを促せばよい。これにより、ユーザにアダプタ７０を取り付けさせることができ、第２ダーモスコピー撮影の際にアダプタ７０を取り付けた適切な状態で撮影することができる。
【００８９】
制御部３００は、アダプタ７０が取り付けられた状態にあると判断すると（ステップＳ２４：Ｙｅｓ）、アダプタ７０が正常に取り付けられているか否か判断する（ステップＳ２５）。２つの検出スイッチ６２がＯＮの状態にある場合は、制御部３００はアダプタ７０が正常に取り付けられていると判断し（ステップＳ２５：Ｙｅｓ）、第２ダーモコピー撮影動作を実行する（ステップＳ５０）。
【００９０】
一方、制御部３００は、ステップＳ２５においてアダプタ７０が正常に取り付けられていないと判断すると（ステップＳ２５：Ｎｏ）、アダプタ７０の再取り付けを報知する（ステップＳ２７）。例えば、制御部３００は、液晶モニタ１１（図２）に「アダプタが正常に取り付けられていません。再度アダプタを取り付けてください。」と表示して、アダプタ７０の再取り付けをユーザに促せばよい。これにより、アダプタ７０を正常に取り付けた状態で、第２ダーモスコピー撮影動作（Ｓ５０）を実行することができる。
【００９１】
第２ダーモスコピー撮影動作（ステップＳ５０）では、図１８に示すように、制御部３００は、撮像対象である皮膚疾患部のピント位置をＰ３に仮設定する（ステップＳ５１）。ここでピント位置Ｐ３は、図１９に示すように、第２ダーモスコピー撮影時に皮膚疾患部に接触する第２対物カバー７２の前面７２ａの位置である。これにより、予め、第２対物カバー７２に接触する皮膚疾患部の位置にピント位置を合わせておくことができる。
【００９２】
続いて、制御部３００は可視光を出射する４つのＬＥＤ１４４（図８）を発光させる（ステップＳ５２）。この４つのＬＥＤ１４４は、第２ダーモスコピー撮影用に光軸ＯＡに近づけて配置した光源である。これにより、第２対物カバー７２（図１３）に接触した皮膚疾患部が可視光により明るく照射される。次に、ユーザにより図１に示すシャッタボタン２１が半押しされると、制御部３００は撮像対象である皮膚疾患部にオートフォーカスする（ステップＳ５３）。上述したように、ステップＳ３４において、予め第２対物カバー７２に接触する皮膚疾患部の位置にピント位置を合わせていることから、制御部３００はオートフォーカスをスムーズに完了させることができる。続いて、ユーザにより図１に示すシャッタボタン２１が押し込まれることで、制御部３００は、皮膚疾患部を第２ダーモスコピー撮影し、撮影した画像を保存する（ステップＳ５４）。次に、制御部３００は、４つのＬＥＤ１４４（図８）を消灯する（ステップＳ５５）。このように、ステップＳ５２〜ステップＳ５５を実行することで、可視光により照射された皮膚疾患部の第２ダーモスコピー撮影を実行することができる。
【００９３】
次に実行するステップＳ５６〜ステップＳ５８は、制御部３００がＬＥＤ１４２を発光させて偏光光により照射された皮膚疾患部を第２ダーモスコピー撮影するステップである。これらのステップＳ５６〜ステップＳ５８は、アダプタ７０の使用の有無が異なるものの、図１７に示す第１ダーモスコピー撮影をする際のステップＳ３６〜ステップＳ３８と同様である。また、その後に実行するステップＳ５９〜ステップＳ６１は、制御部３００がＬＥＤ１４３を発光させて紫外光により照射された皮膚疾患部を第２ダーモスコピー撮影するステップである。これらのステップＳ５９〜ステップＳ６１は、アダプタ７０の使用の有無が異なるものの、図１７に示す第１ダーモスコピー撮影をする際のステップＳ３９〜ステップＳ４１と同様である。そのため、これらのステップの詳細な説明は省略するものとする。
【００９４】
以上のように第２ダーモスコピー撮影においても、シャッタボタン２１（図１）を一度操作することで、可視光が照射された皮膚疾患部、偏光光が照射された皮膚疾患部、及び紫外光が照射された皮膚疾患部が連続して撮像され、撮像された画像が記録される。また、皮膚疾患部のオートフォーカスはステップＳ５３で実行しているため、その後の第２ダーモスコピー撮影では、オートフォーカスの動作を省略することができる。
【００９５】
以上説明したように、本発明を適用した照明装置４を用いたダーモスコピーカメラ１において、第１ダーモスコピー撮影用のＬＥＤ１４１，１４２，１４３を、第１反転領域５０１ｂよりも外側で、かつ、第２反転領域５０２ｂ内に配置している。また、第２ダーモスコピー撮影用のＬＥＤ１４４を、第３反転領域５０３ｂよりも外側で、かつ、第４反射領域５０４ｂ内に配置している。これにより、装置の大型化を抑制しつつ、第１対物カバー１３２で反射したＬＥＤ１４１〜１４４による反射光による影響を、撮像画像の中央の領域に及ぼさずに抑制することができる。
【００９６】
また、第２ダーモスコピー撮影用のＬＥＤ１４４は、撮像素子４４に入射する光束に含まれる光線のなかで最も外側の上光線である仮想上光線１７５ａと、最も外側の下光線である仮想下光線１７８ａとで挟まれた第３領域５０３ａを前面７２ａの線を対称軸として反転させた第３反転領域５０３ｂよりも外側の領域、すなわち反転上光線１７５´と反転下光線１７８´とで挟まれた第３反転領域５０３ｂよりも外側の領域に位置している。このような配置とすることで、第２対物カバー７２で反射したＬＥＤ１４４の反射光による影響を撮像した画像の中央領域に及ぼさずに抑制することができる。
【００９７】
また、ＬＥＤ１４４は、仮想下光線１７６ａと仮想上光線１７７ａとで挟まれた第４領域５０４ａを第２対物カバー７２の前面７２ａの線を対称軸として反転させた第４反転領域５０４ｂの内側、すなわち、反転下光線１７６´と反転上光線１７７´とで挟まれた第４反射領域５０４ｂの内側に位置している。この仮想下光線１７６ａと仮想上光線１７７ａとは、撮像対象側から撮像素子４４に入射する各光線のなかで最も外縁に位置する最外光線である。ＬＥＤ１４４は、これらの最外光線で規定される領域よりも内側に配置することによって、装置の大型化を抑制することができる。
【００９８】
また、上記のＬＥＤ１４１，１４２，１４３は、光軸ＯＡから離れた位置に配置されることになる。しかしながら、このように配置されたＬＥＤ１４１，１４２，１４３を第１対物カバー１３２に向けて傾けて配置することで、第１対物カバー１３２に光を集光させることができ、撮像対象を明暗のムラなく明るく照射することができる。
【００９９】
また、面積が小さい第２対物カバー７２を有するアダプタ７０を用いた第２ダーモスコピー撮影用に、光軸ＯＡの近くにＬＥＤ１４４を別途設けている。このように光軸ＯＡの近くにＬＥＤ１４４を配置することで、第２対物カバー７２に光を照射させやすくすることができ、撮像対象を明暗のムラなく明るく照射することができる。
【０１００】
また、ＬＥＤ１４０が設けられた第１ＬＥＤ基板１１１の収容空間Ａを画定するベース部本体１８０及び第１カバー部本体１２１は、黒色の合成樹脂で構成され、第１カバー部本体１２１は、第１ＬＥＤ基板１１１の端面１１１ａを覆うように形成されている。すなわち、通常撮影用の光源（ＬＥＤ１４０）の収容空間Ａを画定するとともに、第１対物カバー１３２（第２対物カバー７２）と撮像部４０との間の空間側に位置する部材（ベース部本体１８０の円環状部１８２、内壁部１２１ｃ）が、他の部材（第１ＬＥＤ基板１１１など）よりも光の吸収率が高い部材で構成されている。これにより、第１ＬＥＤ基板１１１を透過した光を、ベース部本体１８０及び第１カバー部本体１２１により吸収することによって、この光でダーモスコピーカメラ１の内部の部品（例えばＬＥＤ１４４等）が照らされるのを防止し、ひいては、この内部の部品が撮像画像に写りこむのを防止することができる。
【０１０１】
また、可視光を出射する光源、偏光光を出射する光源、及び紫外光を出射する光源の３種類のダーモスコピー撮影用の光源を設けることにより、皮膚疾患部を様々な光で照射することができ、皮膚の状態を診断するのに有用な画像を撮像することができる。また、可視光が照射された皮膚疾患部、偏光光が照射された皮膚疾患部、及び紫外光が照射された皮膚疾患部を連続して撮像し、記録することができるので、作業時間の短縮を図ることができる。
【０１０２】
また、ユーザが液晶モニタ１１を介して選択したダーモスコピー撮影モード、すなわち、本実施の形態では第１ＤＣ撮影モード、及び第２ＤＣ撮影モードの中から選択した撮影モードに応じて、撮像対象である皮膚疾患部のピント位置が仮設定される。この仮設定されるピント位置は、実際に撮像される皮膚疾患部の想定される位置に基づいているため、実際の撮像の際に行われるピント合わせを速やかに行うことができる。
【０１０３】
また、ユーザによって通常撮影モードが選択された場合に、皮膚疾患部のフォーカス開始位置を、第１対物カバー１３２に写りこむダーモスコピーカメラ１の構成要素の虚像が発生する虚像発生範囲Ｄ１から外れた位置に設定する。これにより、鏡筒４１ｃの先端部、ベース部本体１８０の表面に形成された凹凸や各種治具、あるいはＬＥＤ１４４の虚像が撮像画像に写りこむことを防止することができ、皮膚疾患部を適切に撮像することができる。
【０１０４】
また、カバー体６０に取り付けられたアダプタ７０を検出するための２つの検出スイッチ６２を、カバー体６０の外周面に設けて、各撮影時に制御部３００は、アダプタ７０が取り付けられた状態にあるか否かを判別している。これにより、アダプタ７０の取り付けが必要な第２ダーモスコピー撮影時に、アダプタ７０の取り付けを忘れるといった事態を防止することができる。また、アダプタ７０の取り外しが必要な通常撮影時及び第１ダーモスコピー撮影時に、アダプタ７０の取り外しを忘れてしまうといった事態を防止することができる。
【０１０５】
また、２つの検出スイッチ６２は、照明装置４を前方からみると、上下方向に沿って光軸ＯＡを挟むように離間して配置されている。このように検出スイッチ６２を離間させて配置することにより、アダプタ７０の取り付けが不完全の場合には一方の検出スイッチ６２のみがＯＮ状態になるなど、アダプタ７０の正常に取り付けられているのか否かを制御部３００が容易に判別することができる。
【０１０６】
（実施の形態２について）
次に、実施の形態２に係る照明装置、及び当該照明装置を備える撮像装置について図２０、２１を参照しながら説明する。上記の実施の形態１では、照明装置４及びダーモスコピーカメラ１の大型化を抑制しつつ、第１ダーモスコピー撮影時に用いるＬＥＤ１４１，１４２，１４３の反射光による影響を抑制していた。また、第２ダーモスコピー撮影時に用いるＬＥＤ１４４を光軸ＯＡに寄せて第２対物カバー７２へ容易に光を照射できるようにしつつ、ＬＥＤ１４４の反射光の写りこみを抑制していた。一方、実施の形態２は、反射光による影響をさらに抑制（防止）するという点に重きを置いた形態である。なお、本実施の形態２は、上記の実施の形態１と比較して、構成要素の寸法に違いはあるものの、基本の構成は同じである。そのため、実施の形態２に係るダーモスコピーカメラ４００の各構成要素の符号は、上記の実施の形態１と同一の符号を用いるものとする。
【０１０７】
ダーモスコピーカメラ４００は、図２０に示すように、上記実施の形態１と比べて第１ダーモスコピー撮影の際に発光するＬＥＤ１４１，１４２，１４３がより外側に配置されている。第２ＬＥＤ基板１１２及び第４ＬＥＤ基板１１４のＬＥＤ１４１，１４２，１４３は、上記実施の形態１では第２反転領域５０２ｂ内に配置されていたが、本実施の形態では第２反転領域５０２ｂよりも外側の領域に配置されている。なお、ＬＥＤ１４１，１４２，１４３は、左右方向に沿って切断した断面図においても同様の配置となっており、すなわち、第３ＬＥＤ基板１１３（図８）及び第５ＬＥＤ基板１１５（図８）のＬＥＤ１４１，１４２，１４３も、第２反転領域５０２ｂよりも外側の領域に配置されている。これにより、第１ダーモスコピー撮影時に用いるＬＥＤ１４１，１４２，１４３の反射光による影響を防止することができる。
【０１０８】
また、ダーモスコピーカメラ４００は、図２１に示すように、上記実施の形態１と比べて第２ダーモスコピー撮影の際に発光するＬＥＤ１４４がより外側に配置されている。第６ＬＥＤ基板１１６のＬＥＤ１４４は、第４反転領域５０４ｂよりも外側の領域に位置している。なお、第６ＬＥＤ基板１１６のＬＥＤ１４４は、左右方向に沿って切断した断面図においても同様の配置となっており、第４反転領域５０４ｂよりも外側の領域に位置している。このような配置とすることで、ＬＥＤ１４４の反射光による撮像した画像への影響を防止することができる。
【０１０９】
このように、第２実施の形態では、第１実施の形態と比べて装置が大型になるものの、その反面ＬＥＤ１４１〜１４４の反射光による撮像画像への影響を防止することができ、迷光による影響も抑制することができる。
【０１１０】
この発明は、上記実施の形態に限定されず、様々な変形及び応用が可能である。上記実施の形態では、可視光を出射する第１ダーモスコピー撮影用のＬＥＤ１４１と、同じく可視光を出射する第２ダーモスコピー撮影用のＬＥＤ１４４とを別々に配置した構成について説明した。しかしながら、図２２に示すように、光源の位置あるいは向きを変更することで、同じ光源を第１及び第２ダーモスコピー撮影用の光源として兼用させてもよい。なお、図２２中の破線で示すＬＥＤ基板１５０，１６０及びＬＥＤ１５１，１６１は、第１ダーモスコピー撮影時の位置を示しており、実線で示すＬＥＤ基板１５０，１６０及びＬＥＤ１５１，１６１は、第２ダーモスコピー撮影時の位置を示している。
【０１１１】
図２２（ａ）に示すように、第１ダーモスコピー撮影時、ＬＥＤ基板１５０（破線）は外側に配置され、ＬＥＤ１５１（破線）は第１対物カバー１３２を向くように傾いた状態で配置される。一方、第２ダーモスコピー撮影をするにあたり、矢印Ｙ１で示すように、ＬＥＤ基板１５０を、図示しない駆動手段によりＬＥＤ１５１が前方を向くように姿勢を変えながら内側に移動させる。そして、第２ダーモスコピー撮影時、ＬＥＤ基板１５０（実線）は光軸ＯＡにより近い配置となり、ＬＥＤ１５１（実線）は前方を向いた状態で配置される。このように、ＬＥＤ１５１が搭載されたＬＥＤ基板１５０を移動させることにより、ＬＥＤ１５１を、第１及び第２ダーモスコピー撮影用の光源として兼用することができる。
【０１１２】
図２２（ｂ）に示すように、第１ダーモスコピー撮影時、ＬＥＤ基板１６０（破線）は外側に配置され、ＬＥＤ１６１（破線）は第１対物カバー１３２を向くように傾いた状態で配置される。一方、第２ダーモスコピー撮影をするにあたり、矢印Ｙ２で示すように、ＬＥＤ基板１６０を、図示しない駆動手段によりＬＥＤ１６１が第２対物カバー７２を向くように回転させる。このようにＬＥＤ１６１を第２対物カバー７２に向けることにより、第２対物カバー７２の全域に光が照射され、第２対物カバー７２に接触した皮膚疾患部を明暗のムラなく明るく照明することができる。このようにして、ＬＥＤ１６１が搭載されたＬＥＤ基板１６０を回転させることにより、ＬＥＤ１６１を、第１及び第２ダーモスコピー撮影用の光源として兼用することができる。
【０１１３】
また、上記実施の形態では、制御部３００がアダプタ７０の取り付け状態が正しいか否かを判別した上で、ユーザから入力された撮影モードに基づいて撮影を実行していた。すなわち、撮影モードを選択する上でユーザからの撮影モードの入力が基本であった。しかしながらこのような形態に限定されず、例えばアダプタ７０の取り付け状態を制御部３００が判別して、ユーザの撮影モードの入力なしに撮影モードを決定するようにしてもよい。このような撮影動作について、図２３を参照しながら説明する。
【０１１４】
撮影動作（ステップＳ７０）において、まず制御部３００は、アダプタ７０が照明装置４に取り付けられた状態にあるか否かを判別する（ステップＳ７１）。アダプタ７０の取り付けの有無は、検出スイッチ６２のＯＮ／ＯＦＦ状態から判別される点は上述したとおりである。ステップＳ７１において、制御部３００は、アダプタ７０が取り付けられた状態にあると判断すると（ステップＳ７１：Ｙｅｓ）、第２ＤＣ撮影モードに設定し、ユーザの撮影操作があると第２ダーモコピー撮影動作を実行する（ステップＳ７２）。この第２ダーモスコピー撮影動作（ステップＳ７２）は、図１８に示す第２ダーモスコピー撮影動作（Ｓ５０）と同様である。なお、制御部３００は、ステップＳ７２を実行する前に、図２に示す液晶モニタ１１に、撮影モードが第ＤＣ撮影モードであることを表示してもよい。これにより、ユーザは現状のカメラの撮影モードを認識することができる。
【０１１５】
制御部３００は、第２ダーモスコピー撮影動作（ステップＳ７２）の後にアダプタ７０の取り外しを検出すると（ステップＳ７３：Ｙｅｓ）、通常撮影モードあるいは第１ＤＣ撮影モードに移行する。そして、ユーザの撮影操作にしたがって、制御部３００は、通常撮影動作あるいは第１ダーモスコピー撮影動作を実行する（ステップＳ７４）。このように制御部３００は、アダプタ７０の取り外しを検出することで、第２ＤＣ撮影モードから、通常撮影モードあるいは第１ＤＣ撮影モードに、ユーザの操作入力なしに切り替える。なお、ステップＳ７４において、通常撮影モード及び第１ＤＣ撮影モードの何れの撮影モードとするかは、図２に示す液晶モニタ１１を介してユーザが選択できるようにしてもよい。
【０１１６】
制御部３００は、通常撮影動作あるいは第１ダーモコピー撮影動作（ステップＳ７４）の後にアダプタ７０の取り付けを検出すると（ステップＳ７５：Ｙｅｓ）、処理をステップＳ７２にすすめ、撮影モードを第２ＤＣ撮影モードに切り替える。このように制御部３００は、アダプタ７０の取り付けを検出することで、通常撮影モードあるいは第１ＤＣ撮影モードから、第２ＤＣ撮影モードに、ユーザの操作入力なしに切り替える。
よい。
【０１１７】
一方、制御部３００は、ステップ７３においてアダプタ７０の取り外しを検出しない場合（ステップＳ７３：Ｎｏ）、撮影モードを切り替えることなく第２ＤＣ撮影モードのまま待機し、ユーザの撮影操作があれば第２ダーモスコピー撮影動作を実行する（ステップＳ７２）。また、制御部３００は、ステップＳ７５においてアダプタ７０の取り付けを検出しない場合（ステップＳ７５：Ｎｏ）、撮影モードを切り替えることなく通常撮影モードあるいは第１ＤＣ撮影モードのまま待機する。
【０１１８】
制御部３００は、ステップＳ７１においてアダプタ７０が取り付けられた状態にないと判断すると（ステップＳ７１：Ｎｏ）、通常撮影モードあるいは第１ＤＣ撮影モードに移行し、ユーザの撮影操作にしたがって通常撮影動作あるいは第１ダーモスコピー撮影動作を実行する（ステップＳ７４）。
【０１１９】
制御部３００は、通常撮影動作あるいは第１ダーモスコピー撮影動作（ステップＳ７４）を実行すると、処理をＳ７１にすすめる。制御部３００は、アダプタ７０が取り付けられた状態にないと判断すると（Ｓ７１：Ｙｅｓ）、第２ＤＣ撮影モードに移行する。このように、制御部３００がアダプタ７０の着脱を検知することで、第２ダーモスコピー撮影動作と、通常撮影動作あるいは第１ダーモスコピー撮影動作との間で、ユーザの操作なしに撮影モードを切り替えることができる。
【０１２０】
なお、上記実施の形態では、アダプタ７０を検出する２つの検出スイッチ６２を設けたが、いくつの検出スイッチ６２を設けるかは任意であり、２つよりも多い数の検出スイッチ６２を設けてもよい。これにより、アダプタ７０の取り付け状態をより正確に把握することができる。また、１つの検出スイッチ６２のみを設けて簡略な構成としてもよい。
【０１２１】
また、上記実施の形態では、設定されている撮影モードとアダプタ７０の取り付け状態との対応が不適切である場合、図２に示す液晶モニタ１１にその旨を表示したが、ユーザに知らせる報知手段としては他の手段を用いてもよい。例えば、ダーモスコピーカメラ１に音を出力するスピーカを設けて、ビープ音などで報知する形態であってもよいし、エラーが発生している旨を伝える音声を発する形態であってもよい。また、設定されている撮影モードとアダプタ７０の取り付け状態との対応が不適切である場合、シャッタボタン２１を操作しても撮像することができないようにしてもよい。その際、不適切なシャッタボタン２１の操作であることを、液晶モニタ１１でその旨を表示してユーザに知らせてもよいし、ビープ音や音声を発してユーザに知らせてもよい。
【０１２２】
また、設定されている撮影モードとアダプタ７０の取り付け状態との対応が不適切である場合に、上記で説明したすべての状況で報知する必要はなく、適宜報知するステップを省略することができる。例えば、図１６に示す第１ＤＣ撮影モードにおいて報知するステップＳ２１〜Ｓ２３を省略してもよいし、第２ＤＣ撮影モードにおいて報知するステップＳ２４〜Ｓ２７を省略してもよい。また、アダプタ７０の不適切な取り付けを報知するステップＳ２５及びステップＳ２７を省略してもよい。
【０１２３】
また、アダプタ７０を検出する手段として、アダプタ７０による物理的な押圧の有無によってオンオフが切り替えられる検出スイッチ６２を設けたが、他の検出手段を設けるようにしてもよい。例えば、アダプタ７０とカバー体６０とに電気的な接触点を設け、アダプタ７０が取り付けられることで互いの接触点が接触して電流が流れる構成としてもよい。流れる電流を検出することで、アダプタ７０の取り付けの有無を判別することができる。
【０１２４】
また、上記の形態では、撮像対象である皮膚からの上光線及び下光線で規定される領域を、対物カバーを対称軸として反転させた反転領域に基づいて、光源の位置を規定した。しかしながら、光軸ＯＡからの距離をあけて光源を配置することで、撮像画像に光源の写りこみを抑制できることから、反転領域を形成するための対称軸には若干のずれが許容される。また、反転領域と反転元の領域とが厳密に同一の形状や寸法を有している必要はなく、若干の形状の違いや、寸法の違いがあっても許容される。
【０１２５】
また、ＬＥＤ１４１，１４２，１４３を、第２反転領域５０２ｂよりも外側であれば他の適当な位置に、例えば、第１ダーモスコピー撮影時における撮像部４０の画角を用いた仮想的な光線によって規定される反転領域よりも外側に配置してもよい。また、ＬＥＤ１４４を、第４反転領域５０４ｂよりも外側であれば他の適当な位置に、例えば、第２ダーモスコピー撮影時における撮像部４０の画角を用いた仮想的な光線によって規定される反転領域よりも外側に配置してもよい。このような配置によっても、撮像画像へのＬＥＤ１４１〜１４４の反射光による影響を抑制することができる。
【０１２６】
また、上記実施の形態では、第１〜第４領域５０１ａ〜５０４ａと、その反転領域である第１〜第４反転領域５０１ｂ〜５０４ｂは円錐台状の領域であると説明した。しかしながら、レンズ群に設けられた絞りによっては、これらの領域が真円の円錐台状の領域ではなく、楕円の円錐台状の領域になる。楕円の円錐台状の領域になる場合には、楕円の長軸及び短軸を考慮して光線を設定し、光源の位置を決定すればよい。      
【０１２７】
また、照明装置が適用される撮像装置として、上記実施の形態ではダーモスコピーカメラ１を例に説明したが、他の撮像装置に適用してもよい。光を透過するカバー体の一方の側にある撮像対象を、他方の側にある撮像部と光源とで光を照射し撮像する構成の撮像装置であれば、本発明を適用することができる。例えば、構造物の表面を点検するための画像を撮像する撮像装置に適用してもよいし、差し込んだ隙間に光を照射して撮像する撮像装置に適用してもよい。
【０１２８】
また、ダーモスコピー撮影用の光源として、可視光を出射する光源、偏光光を出射する光源、及び紫外光を出射する光源の３種類を設けたが、光源の種類は撮像対象に応じて適宜その数を設定できる。例えば、これらの光源のうち、１種類の光源だけを設けてもよい。また、例えば近赤外線光を出射する光源を設けて、光源の種類をさらに増やしてもよい。
【０１２９】
また、アダプタ７０を用いた第２ダーモスコピー撮影用の光源として、別途、可視光を出射するＬＥＤ１４４を光軸ＯＡに近づけた位置に設けたが、このような第２ダーモスコピー撮影用の光源を設けるか否かは任意である。また、第２ダーモスコピー撮影用の光源として、他の種類の光源、例えば偏光光を出射する光源を光軸ＯＡに近づけた位置に設けてもよいし、さらには紫外光を出射する光源を光軸ＯＡに近づけた位置に設けてもよい。このように、全ての種類の光源で、第１ダーモスコピー撮影用の光源と、第２ダーモスコピー撮影用の光源とを設けてもよい。
【０１３０】
また、第１対物カバー１３２が設けられた第２カバー部１３０はねじで着脱可能な構成であり、第２対物カバー７２が設けられたアダプタ７０は鉤形の係合部材により着脱可能な構成であると説明したが、他の着脱手段を備える構成であってもよい。例えば、回動軸を有し、撮像装置の前方を覆う位置と、前方を覆った状態から回動して撮像装置の前方を開放した位置との間で移動可能な構成としてもよい。
【０１３１】
また、第２ダーモスコピー撮影の際、図６に示すように第２カバー部１３０を取り付けた状態のままアダプタ７０を装着したが、第２カバー部１３０を取り外してからアダプタ７０を装着する構成としてもよい。これにより、第２ダーモスコピー撮影の際に、アダプタ７０と撮像部４０との間に、第１ダーモスコピー撮影用の第２カバー部１３０をなくすことができ、第２ダーモスコピー撮影に適したダーモスコピーカメラ１の設計が容易となる。なお、第２ダーモスコピー撮影を行う際、第２カバー部１３０を取り外すのを忘れないようにするために、第２カバー部１３０の外径をより大きくしたり、第２カバー部１３０に突起部を設けたりして、第２カバー部１３０の上からアダプタ７０が取り付けられないようにしてもよい。また、アダプタ７０の底部（後端部）におねじを形成し、内壁部１２１ｃに形成されためねじ１２１ｅ（図９）と螺合させて、アダプタ７０を取り付ける構成としてもよい。
【０１３２】
また、第１対物カバー１３２が設けられた第２カバー部１３０を着脱可能な構成とせずに、例えば、第２カバー部１３０を第１カバー部１２０（図５）に固定された構成としてもよい。あるいは、第２カバー部１３０を第１カバー部１２０（図５）と一体で形成された構成としてもよい。これにより、ダーモスコピーカメラ１の構成を簡略化することができる。
【０１３３】
また、通常撮影時に撮像対象のピント位置が虚像発生範囲Ｄ１にある場合、シャッタボタン２１を操作しても撮像することができないようにしてもよい。その際、液晶モニタ１１に、撮像対象からダーモスコピーカメラ１をさらに離して撮影をするように促す表示をしてもよい。これにより、ユーザは、虚像が写りこまない適切な位置から撮像対象を撮像することができる。
【０１３４】
また、ダーモスコピー撮影の際、一度のシャッタボタン２１の操作で異なる種類の光源を順次発光させながら撮像を繰り返したが、ユーザによって指定された光源のみを発光させて、ダーモスコピー撮影を行うようにしてもよい。
【０１３５】
また、狭隘な箇所を撮像するためのアダプタ７０は任意の構成であり、狭隘な箇所の撮影を想定していない撮像装置であれば、アダプタ７０は不要である。この場合、第２ダーモスコピー撮影を行う必要がないことから、第２ダーモスコピー撮影用の光源（例えば、ＬＥＤ１４４）は設けなくてよい。
【０１３６】
また、通常撮影用の光源（ＬＥＤ１４０）からの光がダーモスコピーカメラ１の内部を照射しないように、第１ＬＥＤ基板１１１の収容空間Ａを画定するベース部本体１８０及び第１カバー部本体１２１を、例えば黒色の合成樹脂から構成していると説明したが、光を吸収しやすい他の色の合成樹脂から構成してもよい。また、ダーモスコピーカメラ１内部への光漏れを抑制するために、図９に示す空間Ａと空間Ｂとを隔てるベース部本体１８０及び第１カバー部本体１２１に、空間Ａに位置する通常撮影用の光源からの光を適切に遮ることができる他の構成を採用してもよい。
【０１３７】
例えば、図９に示すように、第１カバー部本体１２１のＡ１で示す外面、及びベース部本体１８０のＡ２で示す外面に鏡面加工を施すことで、光Ｌ１及び光Ｌ２を反射させて第１カバー部本体１２１及びベース部本体１８０そのものに光を入射させない構成を採用してもよい。鏡面加工には、表面に銀膜を施したり、クロームメッキを塗装したりと、公知の鏡面加工技術を用いることができる。このように、第１カバー部本体１２１及びベース部本体１８０が光の反射率を高められた光反射手段を有することで、ダーモスコピーカメラ１内部への光漏れを抑制してもよい。
【０１３８】
あるいは、第１カバー部本体１２１のＡ１で示す外面、及びベース部本体１８０のＡ２で示す外面に、光源（ＬＥＤ１４０）からの光を遮光することができることができる、市販されているマスキングテープ、ゴム板、あるいは金属板等を貼り付けて遮光してもよい。
【０１３９】
あるいは、第１カバー部本体１２１及びベース部本体１８０を、光を通しにくい材料から構成してもよい。例えば、アルミニウムやステンレス等の金属から構成してもよいし、黒色のゴム材から構成してもよい。
【０１４０】
以上のように、収容空間Ａに位置する通常撮影用のＬＥＤ１４０からの光が、鏡筒４１ｃの先端部やダーモスコピー撮影用のＬＥＤ１４１，１４２，１４３，１４４が位置する空間Ｂに光漏れしないように、収容空間Ａと空間Ｂとを隔てるベース部本体１８０及び第１カバー部本体１２１に光を遮る遮光手段を備えさせている。この遮光手段には、上述したような様々な手段を採用し得る。
【０１４１】
本発明の範囲は、上述の実施の形態に限定するものではなく、特許請求の範囲に記載された発明の範囲とその均等の範囲を含む。以下に、この出願の願書に最初に添付した特許請求の範囲に記載した発明を付記する。付記の番号は、この出願の願書に最初に添付した特許請求の範囲の通りである。
【０１４２】
（付記）
（付記１）  対象を撮像するための撮像部に適用される照明装置であって、
光を透過可能な部材で構成され、前記撮像部に前記対象を撮像させるために、前記対象からの光を前記撮像部に導くように設けられた対物カバーと、
前記対物カバーよりも前記撮像部側に設けられ、前記対物カバーを介して前記対象を照明するための光源と、を備え、
前記撮像部は、前記対象を撮像する撮像素子と、前記対象の画像を前記撮像素子に結像させる撮像レンズとを含み、
前記光源は、前記対物カバーに接触する前記対象に前記撮像レンズの焦点を合わせた状態における前記対象側から前記撮像レンズを介して前記撮像素子に入射する光束のうち、前記対物カバーよりも前記対象側の光束に含まれる所定の光線で規定される領域を、前記対物カバーにおいて前記撮像部側に略反転させた領域である反転領域よりも外側に設けられていることを特徴とする照明装置。
【０１４３】
（付記２）
前記所定の光線は、前記光束に含まれる複数の上光線のうちの最も外側の上光線と、前記光束に含まれる複数の下光線のうちの最も外側の下光線であることを特徴とする、付記１に記載の照明装置。
【０１４４】
（付記３）
前記所定の光線は、前記光束に含まれる複数の光線のうちの最も外縁の最外光線であることを特徴とする、付記１に記載の照明装置。
【０１４５】
（付記４）
前記光源は、前記撮像部の光軸を中心として、当該撮像部の光軸と直交する方向に互いに対称に設けられた複数の光源で構成されていることを特徴とする、付記１から３のいずれか１つに記載の照明装置。
【０１４６】
（付記５）
前記複数の光源は、当該複数の光源から照射された光が前記対物カバーの全体において互いに集光するように、設けられていることを特徴とする、付記４に記載の照明装置。
【０１４７】
（付記６）
前記複数の光源には、可視光を照射する光源、紫外光を照射する光源、及び可視光を偏向した光を照射する光源の少なくとも１つが含まれることを特徴とする、付記４又は５に記載の照明装置。
【０１４８】
（付記７）
前記対物カバーは、少なくとも第１対物カバーと第２対物カバーとを選択的に採用可能に構成され、
前記第１対物カバーは、前記撮像部の光軸に直交する面の面積が所定の第１面積に設定され、
前記第２対物カバーは、前記撮像部の光軸に直交する面の面積が前記第１面積よりも小さい所定の第２面積に設定されており、
前記光源は、前記第１対物カバーを介して前記対象を照明するための第１光源と、前記第２対物カバーを介して前記対象を照明するための第２光源とを含み、
前記第１光源は、前記撮像レンズの焦点を前記第１対物カバーに接触する前記対象に合わせた状態における前記対象側から前記撮像レンズを介して前記撮像素子に入射する光束のうち、前記第１対物カバーよりも前記対象側の光束に含まれる第１所定光線で規定される領域を、前記第１対物カバーにおいて前記撮像部側に略反転させた領域である第１反転領域よりも外側に設けられ、
前記第２光源は、前記撮像レンズの焦点を前記第２対物カバーに接触する前記対象に合わせた状態における前記対象側から前記撮像レンズを介して前記撮像素子に入射する光束のうち、前記第２対物カバーよりも前記対象側の光束に含まれる第２所定光線で規定される領域を、前記第２対物カバーにおいて前記撮像部側に略反転させた領域である第２反転領域よりも外側に設けられていることを特徴とする、付記１に記載の照明装置。
【０１４９】
（付記８）
前記第１所定光線は、前記撮像レンズの焦点を前記第１対物カバーに接触する前記対象に合わせた状態において、前記対象側から前記撮像レンズを介して前記撮像素子に入射する前記光束に含まれる複数の上光線のうちの最も外側の上光線と、該光束に含まれる複数の下光線のうちの最も外側の下光線であり、
前記第２所定光線は、前記撮像レンズの焦点を前記第２対物カバーに接触する前記対象に合わせた状態において、前記対象側から前記撮像レンズを介して前記撮像素子に入射する前記光束に含まれる複数の上光線のうちの最も外側の上光線と、該光束に含まれる複数の下光線のうちの最も外側の下光線であることを特徴とする、付記７に記載の照明装置。
【０１５０】
（付記９）
前記第１所定光線は、前記撮像レンズの焦点を前記第１対物カバーに接触する前記対象に合わせた状態において、前記対象側から前記撮像レンズを介して前記撮像素子に入射する前記光束に含まれる複数の光線のうちの最も外縁の最外光線であり、
前記第２所定光線は、前記撮像レンズの焦点を前記第２対物カバーに接触する前記対象に合わせた状態において、前記対象側から前記撮像レンズを介して前記撮像素子に入射する前記光束に含まれる複数の光線のうちの最も外縁の最外光線であることを特徴とする、付記７に記載の照明装置。
【０１５１】
（付記１０）
前記第１光源は、複数の第１光源で構成され、当該複数の第１光源から照射された光が前記第１対物カバーの全体において互いに集光するように、設けられ、
前記第２光源は、複数の第２光源で構成され、当該複数の第２光源から照射された光が前記第２対物カバーの全体において互いに集光するように、設けられていることを特徴とする、付記７から９のいずれか１つに記載の照明装置。
【０１５２】
（付記１１）
前記複数の第１光源の各々及び前記複数の第２光源の各々は、互いに同一の光源で構成されており、
当該同一の光源は、前記第１及び第２対物カバーに対する位置を、又は、前記同一の光源から照射される光の角度を、変更することによって、前記第１及び第２光源として選択的に機能するように構成されていることを特徴とする、付記１０に記載の照明装置。
【０１５３】
（付記１２）
前記第１光源には、可視光の光源、紫外光の光源、及び可視光を偏向した光源の少なくとも１つが含まれることを特徴とする、付記７から１１のいずれか１つに記載の照明装置。
【０１５４】
（付記１３）
付記１から１２のいずれか１つに記載の照明装置及び前記撮像部を備え、前記対象として人体の皮膚を撮像する撮像装置であって、
前記照明装置の前記対物カバーは、前記撮像装置で前記皮膚を撮像する際に、前記皮膚に接触させられるように構成されていることを特徴とする撮像装置。
【０１５５】
（付記１４）
付記７から１２のいずれか１つに記載の照明装置及び前記撮像部を備え、前記対象として人体の皮膚を撮像する撮像装置であって、
前記第１対物カバーは、前記照明装置に設けられた筒状の第１カバーの頂部に設けられており、
前記第２対物カバーは、筒状の第２カバーの頂部に設けられており、
前記第２カバーは、前記頂部以外の部分に前記照明装置に対して着脱可能とする着脱手段を有しており、
前記第２カバーが前記着脱手段を介して前記照明装置から取り外された状態にある場合、前記第１対物カバーが前記皮膚に接触させられる前記対物カバーとして採用され、
前記第２カバーが前記着脱手段を介して前記第１カバーを覆って前記照明装置に取り付けられた状態にある場合、前記第２対物カバーが前記皮膚に接触させられる前記対物カバーとして採用される、ことを特徴とする撮像装置。
【０１５６】
（付記１５）
前記撮像部で前記対象を撮影する撮影モードを、当該撮像装置のユーザによる操作に応じて、前記第２光源を用いずに前記第１光源により前記対象を照明した状態で前記対象を撮影する第１撮影モードと、前記第１光源を用いずに前記第２光源により前記対象を照明した状態で前記対象を撮影する第２撮影モードとを含む複数の撮影モードの何れかに選択的に設定する設定手段と、
前記第２カバーが前記照明装置に取り付けられた状態にあるか否かを検出する検出手段と、
前記検出手段により前記第２カバーが前記照明装置に取り付けられた状態にあると検出され、かつ、前記撮影モードが前記第１撮影モードに設定されているという条件、及び、前記検出手段により前記第２カバーが前記照明装置に取り付けられていない状態にあると検出され、かつ、前記撮影モードが前記第２撮影モードに設定されているという条件の少なくとも１つの条件が成立している場合に、前記少なくとも１つの条件が成立している旨を前記ユーザに報知する報知手段と、
をさらに備える、ことを特徴とする付記１４に記載の撮像装置。
【０１５７】
（付記１６）
前記撮像部で前記対象を撮影する撮影モードを、当該撮像装置のユーザによる操作に応じて、前記第２光源を用いずに前記第１光源により前記対象を照明した状態で前記対象を撮影する第１撮影モードと、前記第１光源を用いずに前記第２光源により前記対象を照明した状態で前記対象を撮影する第２撮影モードとを含む複数の撮影モードの何れかに選択的に設定する設定手段と、
前記照明装置への前記第２カバーの取り付け及び前記照明装置からの前記第２カバーの取り外しを検出する検出手段と、をさらに備え、
前記設定手段は、前記撮影モードが前記第１撮影モードに設定されている状態において、前記検出手段により前記第２カバーが前記照明装置に取り付けられたと検出されたときに、前記撮影モードを前記第２撮影モードに切り替え、前記撮影モードが前記第２撮影モードに設定されている状態において、前記検出手段により前記第２カバーが前記照明装置から取り外されたと検出されたときに、前記撮影モードを、前記複数の撮影モードのうちの前記第２撮影モード以外の撮影モードに切り替える、ことを特徴とする付記１４に記載の撮像装置。
【符号の説明】
【０１５８】
１・・ダーモスコピーカメラ、２・・コントローラ、３・・カメラ本体、４・・照明装置、１０・・表示部、１１・・液晶モニタ、２０・・本体部、２１・・シャッタボタン、２２・・電源ボタン、３０・・回路基板、４０・・撮像部、４１・・撮像レンズ系、４１ａ・・第１撮像レンズ、４１ｂ・・第２撮像レンズ、４１ｃ・・鏡筒、４３・・回路配線基板、４４・・撮像素子、４５・・赤外カットフィルタ、４６・・紫外透過フィルタ、４７・・偏光フィルタ、４８・・フレキシブル回路基板、５０・・枠体、６０・・カバー体、６１・・突起部、６２・・検出スイッチ、６２ａ・・ばね、７０・・アダプタ、７０ａ・・内壁、７１・・筒体、７１ａ・・開口、７１ｂ・・鉤状部、７２・・第２対物カバー、７２ａ・・前面、７３，７４・・第２対物カバーの領域、７４ａ・・暗くなった領域、１００・・照明装置本体、１１０・・ベース部、１１１〜１１６・・第１〜第６ＬＥＤ基板、１１６ａ・・鏡筒挿通孔、１１７・・偏光板、１２０・・第１カバー部、１２１・・第１カバー部本体、１２１ａ・・カバー部、１２１ｂ・・外壁部、１２１ｃ・・内壁部、１２１ｄ・・光出射孔、１２１ｅ・・めねじ、１２２・・透光板、１３０・・第２カバー部、１３１・・筒体、１３１ａ・・開口、１３１ｂ・・おねじ、１３２・・第１対物カバー、１３２ａ・・前面、１３２ｂ・・後面、１４０〜１４４・・ＬＥＤ、１５０・・ＬＥＤ基板、１５１・・ＬＥＤ、１６０・・ＬＥＤ基板、１６１・・ＬＥＤ、１７１，１７３，１７５，１７７・・上光線、１７１´，１７３´，１７５´，１７７´・・反転上光線、１７２，１７４，１７６，１７８・・下光線、１７２´，１７４´，１７６´，１７８´・・反転下光線、１８０・・ベース部本体、１８１・・円筒部、１８２・・円環状部、１８２ａ・・基板取付面、１８３〜１８６・・第１〜第４壁部、１８７・・接続部、１８８・・第５壁部、１８８ｂ・・鏡筒挿通孔、１８９・・ねじ、２００・・記憶部、３００・・制御部、４００・・ダーモスコピーカメラ、４０４・・照明装置、５０１ａ・・第１領域、５０１ｂ・・第１反転領域、５０２ａ・・第２領域、５０２ｂ・・第２反転領域、５０３ａ・・第３領域、５０３ｂ・・第３反転領域、５０４ａ・・第４領域、５０４ｂ・・第４反転領域、Ａ・・収容空間、Ｄ１・・虚像発生範囲、Ｐ１・・フォーカス開始位置、Ｐ２，Ｐ３・・ピント位置、、Ｓ１，Ｓ２・・皮膚、ＯＡ・・光軸、ｒ１〜ｒ４・・領域
【図１】
2020166221.tif 000003
【図２】
2020166221.tif 000004
【図３】
2020166221.tif 000005
【図４】
2020166221.tif 000006
【図５】
2020166221.tif 000007
【図６】
2020166221.tif 000008
【図７】
2020166221.tif 000009
【図８】
2020166221.tif 000010
【図９】
2020166221.tif 000011
【図１０】
2020166221.tif 000012
【図１１】
2020166221.tif 000013
【図１２】
2020166221.tif 000014
【図１３】
2020166221.tif 000015
【図１４】
2020166221.tif 000016
【図１５】
2020166221.tif 000017
【図１６】
2020166221.tif 000018
【図１７】
2020166221.tif 000019
【図１８】
2020166221.tif 000020
【図１９】
2020166221.tif 000021
【図２０】
2020166221.tif 000022
【図２１】
2020166221.tif 000023
【図２２】
2020166221.tif 000024
【図２３】
2020166221.tif 000025